(57)【要約】  映像信号及び音声信号を発生して信号シンク装置であるプラズマ表示装置（２００）に出力する信号ソース装置であるＤＶＤプレーヤ（１００）が提供される。ＤＶＤプレーヤ（１００）はプラズマ表示装置（２００）との間で機器認証を完了した後に、プラズマ表示装置（２００）での初期起動設定処理に要する時間よりも長くなるように設定された所定の待機時間が経過した後に、ＨＤＭＩ規格に準拠する伝送路を介して、映像信号及び音声信号をプラズマ表示装置（２００）に出力する。
2007023939.tif 000002
【特許請求の範囲】
【請求項１】
映像信号及び音声信号のうちの少なくとも一方を発生して、所定の規格に準拠する伝送路を介して信号シンク装置に出力する信号ソース装置において、
上記信号シンク装置との間で機器認証を完了した後に、上記映像信号及び音声信号のうちの少なくとも一方を上記信号シンク装置に出力する制御手段を備えたことを特徴とする信号ソース装置。
【請求項２】
上記信号ソース装置は、上記映像信号及び音声信号のうちの少なくとも一方を信号リピータ装置を介して上記信号シンク装置に出力し、
上記制御手段は、上記信号ソース装置と上記信号シンク装置との間での機器認証、及び上記信号リピータ装置と上記信号シンク装置との間での機器認証が完了した後に、上記映像信号及び音声信号のうちの少なくとも一方を上記信号シンク装置に出力することを特徴とする請求項１記載の信号ソース装置。
【請求項３】
上記制御手段は、上記機器認証完了後に、上記信号シンク装置での初期起動設定処理に要する時間よりも長くなるように設定された所定の待機時間が経過した後に、上記映像信号及び音声信号のうちの少なくとも一方を上記信号シンク装置に出力することを特徴とする請求項１又は２記載の信号ソース装置。
【請求項４】
上記制御手段は、上記信号シンク装置の識別情報、映像出力仕様及び音声出力仕様の少なくとも１つを含むデータを受信して、当該受信したデータに基づいて上記所定の待機時間を決定することを特徴とする請求項３記載の信号ソース装置。
【請求項５】
上記所定の待機時間を上記信号ソース装置に入力する入力手段をさらに備えたことを特徴とする請求項３記載の信号ソース装置。
【請求項６】
所定の仕様を有する無画像無音信号を発生して上記信号シンク装置に出力する無画像無音信号発生手段をさらに備え、
上記制御手段は、上記機器認証完了後に、上記無画像無音信号を発生して上記信号シンク装置に出力するように上記無画像無音信号発生手段を制御し、上記待機時間の経過後に、上記無画像無音信号の発生及び出力を停止するように上記無画像無音信号発生手段を制御することを特徴とする請求項１乃至５のうちのいずれか１つに記載の信号ソース装置。
【請求項７】
映像信号及び音声信号のうちの少なくとも一方を発生して、所定の規格に準拠する伝送路を介して信号シンク装置に出力する信号ソース装置の制御方法において、
上記信号シンク装置との間で機器認証を完了した後に、上記映像信号及び音声信号のうちの少なくとも一方を上記信号シンク装置に出力するステップを含むことを特徴とする信号ソース装置の制御方法。
【請求項８】
上記映像信号及び音声信号のうちの少なくとも一方を信号リピータ装置を介して上記信号シンク装置に出力し、上記信号ソース装置と上記信号シンク装置との間での機器認証、及び上記信号リピータ装置と上記信号シンク装置との間での機器認証が完了した後に、上記映像信号及び音声信号のうちの少なくとも一方を上記信号シンク装置に出力するステップをさらに含むことを特徴とする請求項７記載の信号ソース装置の制御方法。
【請求項９】
上記機器認証完了後に、上記信号シンク装置での初期起動設定処理に要する時間よりも長くなるように設定された所定の待機時間が経過した後に、上記映像信号及び音声信号のうちの少なくとも一方を上記信号シンク装置に出力するステップをさらに含むことを特徴とする請求項７又は８記載の信号ソース装置の制御方法。
【請求項１０】
上記信号シンク装置の識別情報、映像出力仕様及び音声出力仕様の少なくとも１つを含むデータを受信して、当該受信したデータに基づいて上記所定の待機時間を決定するステップをさらに含むことを特徴とする請求項９記載の信号ソース装置の制御方法。
【請求項１１】
上記所定の待機時間を上記信号ソース装置に入力するステップをさらに含むことを特徴とする請求項９記載の信号ソース装置の制御方法。
【請求項１２】
上記機器認証完了後に、所定の仕様を有する無画像無音信号を発生して上記信号シンク装置に出力し、上記待機時間の経過後に、上記無画像無音信号の発生及び出力を停止するステップをさらに含むことを特徴とする請求項１乃至５のうちのいずれか１つに記載の信号ソース装置の制御方法。
【請求項１３】
請求項７乃至１２のうちのいずれか１つに記載の信号ソース装置の制御方法における各ステップを含むことを特徴とするコンピュータにより実行可能なプログラム。
【発明の詳細な説明】
【技術分野】
【０００１】
本発明は、映像信号及び音声信号のうちの少なくとも一方を発生して、所定の規格に準拠する伝送路を介して信号シンク装置に出力する信号ソース装置及びその制御方法に関する。
【背景技術】
【０００２】
従来、コンテンツを再生してディジタル映像信号及びディジタル音声信号を発生し、液晶表示装置等の映像出力装置やディジタルスピーカ等の音声出力装置に送信して出力するＤＶＤプレーヤ等のソース装置及びその制御方法が提案されている（例えば、特許文献１−３等参照。）。【０００３】
近年、ディジタル映像信号及びディジタル音声信号を、ＤＶＤプレーヤやセットトップボックス等のソース装置から、液晶表示装置やプロジェクタ等のシンク装置に送信するためのインターフェース規格である高品位マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ；以下、ＨＤＭＩという。）規格が提案され、ＨＤＭＩ規格を採用したＡＶ機器が市場に普及している。ＨＤＭＩ規格においては、コンテンツの著作権保護のためにＨＤＣＰ（Ｈｉｇｈ−Ｂａｎｄｗｉｄｔｈ  Ｄｉｇｉｔａｌ  Ｃｏｎｔｅｎｔ  Ｐｒｏｔｅｃｔｉｏｎ；以下、ＨＤＣＰという。）認証が採用されている。【０００４】
【特許文献１】特開２０００−３１２３１７号公報。
【特許文献２】特開２０００−２１７０７１号公報。
【特許文献３】特開平５−３２８２３９号公報。
【発明の開示】
【発明が解決しようとする課題】
【０００５】
しかしながら、従来技術に係るソース装置及びその制御方法によれば、信号ソース装置と信号シンク装置との間でＨＤＣＰ認証が終了したか否か、及び、信号シンク装置において音声出力サンプリングの設定や映像出力解像度の設定等の初期起動設定処理が終了したか否かに関わらず、信号ソース装置は信号シンク装置に映像信号及び音声信号を出力した。従って、ＨＤＭＩ規格を採用した信号ソース装置（以下、ＨＤＭＩソース装置という。）及びＨＤＭＩ規格を採用した信号シンク装置（以下、ＨＤＭＩシンク装置という。）を備えて構成されるシステムにおいて、ＨＤＣＰ認証及び上記初期設定処理が終了していないときに、ＨＤＭＩソース装置からＨＤＭＩシンク装置に映像信号及び音声信号が送信されると、ＨＤＭＩシンク装置において映像信号及び音声信号の先頭部分を受信できず、当該先頭部分に含まれる映像データ及び音声データをＨＤＭＩシンク装置のディスプレイ及びスピーカから出力できないという問題があった。【０００６】
本発明の目的は以上の問題点を解決し、映像信号及び音声信号のうちの少なくとも一方をその先頭部分から従来技術に比較して確実に信号シンク装置に出力できる信号ソース装置及びその制御方法並びにそのコンピュータにより実行可能なプログラムを提供することにある。
【課題を解決するための手段】
【０００７】
第１の発明に係る信号ソース装置は、映像信号及び音声信号のうちの少なくとも一方を発生して、所定の規格に準拠する伝送路を介して信号シンク装置に出力する信号ソース装置において、上記信号シンク装置との間で機器認証を完了した後に、上記映像信号及び音声信号のうちの少なくとも一方を上記信号シンク装置に出力する制御手段を備えたことを特徴とする。【０００８】
上記信号ソース装置は、上記映像信号及び音声信号のうちの少なくとも一方を信号リピータ装置を介して上記信号シンク装置に出力し、
上記制御手段は、上記信号ソース装置と上記信号シンク装置との間での機器認証、及び上記信号リピータ装置と上記信号シンク装置との間での機器認証が完了した後に、上記映像信号及び音声信号のうちの少なくとも一方を上記信号シンク装置に出力することを特徴とする。【０００９】
また、上記信号ソース装置において、上記制御手段は、上記機器認証完了後に、上記信号シンク装置での初期起動設定処理に要する時間よりも長くなるように設定された所定の待機時間が経過した後に、上記映像信号及び音声信号のうちの少なくとも一方を上記信号シンク装置に出力することを特徴とする。【００１０】
さらに、上記信号ソース装置において、上記制御手段は、上記信号シンク装置の識別情報、映像出力仕様及び音声出力仕様の少なくとも１つを含むデータを受信して、当該受信したデータに基づいて上記所定の待機時間を決定することを特徴とする。【００１１】
またさらに、上記信号ソース装置において、上記所定の待機時間を上記信号ソース装置に入力する入力手段をさらに備えたことを特徴とする。【００１２】
また、上記信号ソース装置において、所定の仕様を有する無画像無音信号を発生して上記信号シンク装置に出力する無画像無音信号発生手段をさらに備え、
上記制御手段は、上記機器認証完了後に、上記無画像無音信号を発生して上記信号シンク装置に出力するように上記無画像無音信号発生手段を制御し、上記待機時間の経過後に、上記無画像無音信号の発生及び出力を停止するように上記無画像無音信号発生手段を制御することを特徴とする。【００１３】
第２の発明に係る信号ソース装置の制御方法は、映像信号及び音声信号のうちの少なくとも一方を発生して、所定の規格に準拠する伝送路を介して信号シンク装置に出力する信号ソース装置の制御方法において、
上記信号シンク装置との間で機器認証を完了した後に、上記映像信号及び音声信号のうちの少なくとも一方を上記信号シンク装置に出力するステップを含むことを特徴とする。【００１４】
上記信号ソース装置の制御方法において、上記映像信号及び音声信号のうちの少なくとも一方を信号リピータ装置を介して上記信号シンク装置に出力し、上記信号ソース装置と上記信号シンク装置との間での機器認証、及び上記信号リピータ装置と上記信号シンク装置との間での機器認証が完了した後に、上記映像信号及び音声信号のうちの少なくとも一方を上記信号シンク装置に出力するステップをさらに含むことを特徴とする。【００１５】
また、上記信号ソース装置の制御方法において、上記機器認証完了後に、上記信号シンク装置での初期起動設定処理に要する時間よりも長くなるように設定された所定の待機時間が経過した後に、上記映像信号及び音声信号のうちの少なくとも一方を上記信号シンク装置に出力するステップをさらに含むことを特徴とする。【００１６】
さらに、上記信号ソース装置の制御方法において、上記信号シンク装置の識別情報、映像出力仕様及び音声出力仕様の少なくとも１つを含むデータを受信して、当該受信したデータに基づいて上記所定の待機時間を決定するステップをさらに含むことを特徴とする。【００１７】
またさらに、上記信号ソース装置の制御方法において、上記所定の待機時間を上記信号ソース装置に入力するステップをさらに含むことを特徴とする。【００１８】
また、上記信号ソース装置の制御方法において、上記機器認証完了後に、所定の仕様を有する無画像無音信号を発生して上記信号シンク装置に出力し、上記待機時間の経過後に、上記無画像無音信号の発生及び出力を停止するステップをさらに含むことを特徴とする。【００１９】
第３の発明に係るコンピュータにより実行可能なプログラムは、上記の信号ソース装置の制御方法における各ステップを含むことを特徴とする。
【発明の効果】
【００２０】
本発明に係る信号ソース装置及びその制御方法によれば、信号ソース装置は、信号シンク装置との間で機器認証を完了した後に、映像信号及び音声信号のうちの少なくとも一方を信号シンク装置に出力するので、映像信号及び音声信号のうちの少なくとも一方をその先頭部分から従来技術に比較して確実に信号シンク装置に出力できる。また、本発明に係るコンピュータにより実行可能なプログラムよれば、上記信号ソース装置の制御方法における各ステップを含むコンピュータにより実行可能なプログラムを提供できる。
【図面の簡単な説明】
【００２１】
【図１】本発明の第１の実施形態に係るＤＶＤプレーヤ１００、リモートコントローラ９０及びプラズマ表示装置２００の構成を示すブロック図である。
【図２】図１のコントローラ１０によって実行されるコンテンツ送信処理を示すフローチャートである。
【図３】本発明の第２の実施形態に係るＤＶＤプレーヤ１００、リモートコントローラ９０、ＡＶアンプ３００及びプラズマ表示装置２００の構成を示すブロック図である。
【図４】図３のコントローラ１０によって実行されるコンテンツ送信処理を示すフローチャートである。
【符号の説明】
【００２２】
１０…コントローラ、
１１，２１，６１，８１…ＣＰＵ、
１２，２２，６２，８２…ＲＡＭ、
１３，２３，６３，８３…ＲＯＭ、
１４…待機時間メモリ、
１５…タイマ回路、
１６，２５，６６，８６…バス、
２０，６０，８０…ＨＤＭＩチップ、
２４，６５，８５…インターフェース、
３０…デコーダ、
３１…無画像無音信号発生回路、
４０…ＤＶＤドライブ、
５０…ＤＶＤ、
５１…リモコン信号受光回路、
６４，８４…ＥＤＩＤメモリ、
７１…映像信号処理位階路、
７２…ディスプレイ、
７３…音声信号処理回路、
７４，８９…スピーカ、
８８…音声信号増幅器、
９０…リモートコントローラ、
９１…リモコン信号送信回路、
１００…ＤＶＤプレーヤ、
１０１，２０１，３０１，３０２…ＨＤＭＩコネクタ、
２００…プラズマ表示装置、
３００…ＡＶアンプ、
４０１，４０２，４０３…ＨＤＭＩケーブル。
【発明を実施するための最良の形態】
【００２３】
以下、本発明に係る実施形態について図面を参照して説明する。なお、同様の構成要素については同一の符号を付している。【００２４】
第１の実施形態．
図１は、本発明の第１の実施形態に係るＤＶＤプレーヤ１００、リモートコントローラ９０及びプラズマ表示装置２００の構成を示すブロック図である。【００２５】
図１において、ＨＤＭＩソース装置（ＨＤＭＩ規格を採用した信号ソース装置）であるＤＶＤプレーヤ１００は、ＨＤＭＩコネクタ１０１、ＨＤＭＩケーブル４０１及びＨＤＭＩコネクタ２０１を介してＨＤＭＩシンク装置（ＨＤＭＩ規格を採用した信号シンク装置）であるプラズマ表示装置２００に接続される。ここで、ＨＤＭＩケーブル４０１は、ＨＤＭＩ規格に準拠したディジタルデータ伝送バスであり、ＨＤＭＩコネクタ１０１及び２０１は、ＨＤＭＩ規格に準拠したデータ端子である。図１において、ＨＤＭＩソース装置であるＤＶＤプレーヤ１００は、プラズマ表示装置２００との間でＨＤＣＰ認証を完了した後に、映像信号及び音声信号をプラズマ表示装置２００に出力するコントローラ１０を備えたことを特徴とする。【００２６】
また、リモートコントローラ９０は、リモコン信号送信回路９１を備え、ユーザからのコンテンツ再生指示等に基づいて所定のリモコン信号を発生して、ＤＶＤレコーダ１００のリモコン信号受光回路５１に光無線送信する。【００２７】
図１において、ＤＶＤプレーヤ１００は、コントローラ１０と、ＨＤＭＩチップ２０と、無画像無音信号発生回路３１を備えたデコーダ３０と、ＤＶＤドライブ４０と、ＤＶＤ５０と、リモコン信号受光回路５１と、ＨＤＭＩコネクタ１０１とを備えて構成される。ここで、コントローラ１０と、ＨＤＭＩチップ２０と、デコーダ３０と、ＤＶＤドライブ４０と、リモコン信号受光回路５１とはコントローラ１０のバス１６及びＨＤＭＩチップ２０のバス２５を介して互いに接続される。【００２８】
コントローラ１０は、ＤＶＤプレーヤ１００の全体の動作を制御するためのコントローラであって、互いにバス１６を介して接続されるＣＰＵ（Ｃｅｎｔｒａｌ  Ｐｒｏｃｅｓｓｉｎｇ  Ｕｎｉｔ）１１と、ＲＡＭ（Ｒａｎｄｏｍ  Ａｃｃｅｓｓ  Ｍｅｍｏｒｙ）１２と、待機時間メモリ１４を有するＲＯＭ（Ｒｅａｄ  Ｏｎｌｙ  Ｍｅｍｏｒｙ）１３と、タイマ回路１５とを備えて構成される。ＣＰＵ１１は、ＤＶＤプレーヤ１００の全体の動作を制御するコンピュータであって、詳細後述するコンテンツ送信処理等のソフトウェアのプログラム等を実行する。ＲＯＭ１３は、ＤＶＤプレーヤ１００の動作に必要な種々のソフトウェア及び、ＣＰＵ１１によって実行される詳細後述するコンテンツ送信処理等のソフトウェアのコンピュータにより実行可能なプログラムを予め記憶し、プラズマ表示装置２００の製造者と、ＨＤＭＩチップ２０とＨＤＭＩチップ６０との間でのＨＤＣＰ認証の完了後、ＤＶＤ５０のコンテンツを再生して映像信号及び音声信号を発生してプラズマ表示装置に出力するまでの待機時間との関係を示す待機時間テーブルを予め記憶する待機時間メモリ１４を含む。ここで、待機時間は、プラズマ表示装置２００においてコンテンツを受信する前に実行する音声出力サンプリングの設定や映像出力仕様の設定等の初期起動設定処理に要する時間に比較して長い時間値であり、プラズマ表示装置２００の製造者に応じて０．５秒〜１．０秒の値を有する。また、ＲＡＭ１２は、ＳＲＡＭ又はフラッシュメモリ等で構成され、ＣＰＵ１１のワーキングエリアとして使用されてプログラムの実行時に発生する一時的なデータを記憶する。タイマ回路１５は、ＣＰＵ１１からの待機開始及び所定の待機時間を示す制御信号に応答して計時を開始し、当該待機時間が経過したときに、待機時間の終了を示す待機終了信号を発生してＣＰＵ１１に出力する。【００２９】
図１のＤＶＤプレーヤ１００において、ＨＤＭＩチップ２０は、ＨＤＭＩコネクタ１０１、ＨＤＭＩケーブル４０１及びＨＤＭＩコネクタ２０１を介してプラズマ表示装置２００とのインターフェースをとるためのインターフェース処理及びプラズマ表示装置２００との間でＨＤＣＰ認証を行うための認証処理を実行するチップであり、互いにバス２５を介して接続されるＣＰＵ２１と、ＲＡＭ２２と、ＲＯＭ２３と、インターフェース２４とを備えて構成される。ＲＯＭ２３は、ＨＤＭＩチップ２０の動作に必要であって、ＣＰＵ２１によって実行される種々のソフトウェアのプログラムを記憶する。また、ＲＡＭ２２は、ＳＲＡＭ又はフラッシュメモリ等で構成され、ＣＰＵ２１のワーキングエリアとして使用されてプログラムの実行時に発生する一時的なデータを記憶する。インターフェース２４は、プラズマ表示装置２００とのインターフェース処理を実行して、ＨＤＭＩ規格に準拠する信号やデータをＨＤＭＩコネクタ１０１、ＨＤＭＩケーブル４０１及びＨＤＭＩコネクタ２０１を介してプラズマ表示装置２００に出力する一方、プラズマ表示装置２００からＨＤＭＩコネクタ２０１、ＨＤＭＩケーブル４０１及びＨＤＭＩコネクタ１０１を介して入力される信号を受信して、信号変換やプロトコル変換を含む所定のインターフェース処理を実行してＣＰＵ２１に出力する。【００３０】
また、デコーダ３０の動作はＣＰＵ１１によって制御される。デコーダ３０は、ＤＶＤ５０に格納されたコンテンツをＤＶＤドライブ４０を用いて再生してＣＰＵ１１又はＣＰＵ２１に出力するとともに、所定の仕様を有する黒画像信号及び無音信号を含む無画像無音信号を発生してＣＰＵ２１に出力する。ここで、黒画像信号は輝度信号の値が１０ｈ（１６進法）であり色差信号の値が８０ｈ（１６進法）である映像信号であり、無音信号は音量値が００ｈ（１６進法）である音声信号である。【００３１】
リモコン信号受光回路５１は、リモートコントローラ９０からのリモコン信号を受光し、ＣＰＵ１１に出力する。【００３２】
図１において、プラズマ表示装置２００は、ＨＤＭＩチップ６０と、映像信号処理回路７１と、ディスプレイ７２と、音声信号処理回路７３と、スピーカ７４と、ＨＤＭＩコネクタ２０１とを備えて構成される。ここで、ＨＤＭＩチップ６０と、映像信号処理回路７１と、音声信号処理回路７３とはＨＤＭＩチップ６０のバス６６を介して互いに接続される。ＨＤＭＩチップ６０は、ＨＤＭＩコネクタ２０１、ＨＤＭＩケーブル４０１及びＨＤＭＩコネクタ１０１を介してＤＶＤプレーヤ１００とのインターフェースをとるためのインターフェース処理、ＤＶＤプレーヤ１００との間でＨＤＣＰ認証を行うための認証処理及びＤＶＤプレーヤ１００からの映像信号を映像信号処理回路７１を介してディスプレイ７２に出力して表示する映像信号出力処理、及びＤＶＤプレーヤ１００からの音声信号を音声信号処理回路７３を介してスピーカ７４に出力する音声信号出力処理を実行するチップであり、互いにバス６６を介して接続されるＣＰＵ６１と、ＲＡＭ６２と、ＥＤＩＤ（Ｅｘｔｅｎｄｅｄ  Ｄｉｓｐｌａｙ  Ｉｄｅｎｔｉｆｉｃａｔｉｏｎ  Ｄａｔａ；以下、ＥＤＩＤという。）メモリ６４を備えたＲＯＭ６３と、インターフェース６５とを備えて構成される。ＲＯＭ６３は、ＨＤＭＩチップ６０の動作に必要であって、ＣＰＵ６１によって実行される種々のソフトウェアのプログラムを予め記憶し、プラズマ表示装置２００の製品情報、製造者名、映像符号化方式（例えば、ＲＧＢ、ＹＣＢＣＲ４：４：４又はＹＣＢＣＲ４：２：２）、解像度、フィールド周波数、走査線数等の映像出力仕様及び音声出力サンプリング等の音声出力仕様等のデータを予め記憶するＥＤＩＤメモリ６４を含む。また、ＲＡＭ６２は、ＳＲＡＭ又はフラッシュメモリ等で構成され、ＣＰＵ６１のワーキングエリアとして使用されてプログラムの実行時に発生する一時的なデータを記憶する。インターフェース６５は、ＤＶＤプレーヤ１００とのインターフェース処理を実行して、ＨＤＭＩ規格に準拠する信号やデータをＨＤＭＩコネクタ２０１、ＨＤＭＩケーブル４０１及びＨＤＭＩコネクタ１０１を介してＤＶＤプレーヤ１００に出力する一方、ＤＶＤプレーヤ１００からＨＤＭＩコネクタ１０１、ＨＤＭＩケーブル４０１及びＨＤＭＩコネクタ２０１を介して入力される信号を受信して、信号変換やプロトコル変換を含む所定のインターフェース処理を実行してＣＰＵ６１に出力する。【００３３】
また、映像信号処理回路７１は、ＤＶＤプレーヤ１００からＨＤＭＩコネクタ１０１、ＨＤＭＩケーブル４０４及びＨＤＭＩコネクタ２０１を介して入力される映像信号を所定の仕様を有する映像表示用信号に変換してディスプレイ７２に出力して表示する。さらに、音声信号処理回路７３は、ＤＶＤプレーヤ１００からＨＤＭＩコネクタ１０１、ＨＤＭＩケーブル４０４及びＨＤＭＩコネクタ２０１を介して入力される音声信号を、Ｄ／Ａ変換及び増幅してスピーカ７４に出力する。【００３４】
図２は、図１のコントローラ１０によって実行されるコンテンツ送信処理を示すフローチャートである。【００３５】
図２のコンテンツ送信処理において、まずステップＳ１においてプラズマ表示装置２００のＲＯＭ６３のＥＤＩＤメモリ６４からＥＤＩＤを読み出してＣＰＵ１１に出力するようにＨＤＭＩチップ２０を制御する。これに応答してＨＤＭＩチップ２０は、ＥＤＩＤメモリ６４に記憶されているＥＤＩＤを読み出してＣＰＵ１１に出力する。そして、ステップＳ２において、入力されたＥＤＩＤのデータから、プラズマ表示装置２００の映像出力仕様及び音声出力仕様を読み出す。次いで、ステップＳ３において、再生するコンテンツのヘッダ情報を読み出して、ヘッダ情報からコンテンツに含まれる映像信号の仕様及び音声信号の仕様を読み出すようにデコーダ３０を制御する。これに応答して、デコーダ３０は、再生するコンテンツに含まれる映像信号の仕様及び音声信号の仕様のデータをＣＰＵ１１に出力する。ここで、コンテンツのヘッダ情報は、当該コンテンツに含まれる映像信号の映像符号化方式（例えば、ＲＧＢ、ＹＣＢＣＲ４：４：４又はＹＣＢＣＲ４：２：２）、解像度、フィールド周波数、走査線数等及び音声信号の音声出力サンプリング等のデータを含む。さらに、ステップＳ４において、ステップＳ２で読み出したプラズマ表示装置２００の映像出力仕様及び音声出力仕様及びステップＳ３で読み出したコンテンツに含まれる映像信号の仕様及び音声信号の仕様に基づいて、プラズマ表示装置２００に出力する映像信号の仕様及び音声信号の仕様を決定する。例えば、コンテンツに含まれる映像信号の仕様が「１９２０×１０８０ｉ」であり、プラズマ表示装置２００に接続の映像出力仕様が「１２８０×７２０ｐ」である場合、プラズマ表示装置２００に出力する映像信号の仕様を「１２８０×７２０ｐ」と決定する。また、例えば、コンテンツに含まれる音声信号の音声出力サンプリングが４８ｋＨｚであり、プラズマ表示装置２００の音声出力サンプリングが４４．１ｋＨｚである場合、プラズマ表示装置２００に出力する音声信号の音声出力サンプリングを４４．１ｋＨｚと決定する。次に、ステップＳ５において、ステップＳ４で決定された映像信号の仕様及び音声信号の仕様を有する無画像無音信号を発生してプラズマ表示装置２００に出力するようにデコーダ３０を制御する。これに応答してデコーダ３０は、無画像無音信号を発生してＨＤＭＩチップ２０、ＨＤＭＩコネクタ１０１、ＨＤＭＩケーブル４０１及びＨＤＭＩコネクタ２０１を介してプラズマ表示装置２００のＣＰＵ６１に出力する。ＣＰＵ６１は、入力される無画像無音信号に含まれる黒画像信号を映像信号処理回路７１を介してディスプレイ７２に出力して表示するとともに、無音信号を音声信号処理回路７３を介してスピーカ７４に出力する。【００３６】
次に、ステップＳ６において、ＨＤＣＰの第１認証をプラズマ表示装置２００のＨＤＭＩチップ６０に対して行うようにＨＤＭＩチップ２０を制御する。これに応答してＨＤＭＩチップ２０は、ＨＤＭＩチップ６０との間でＨＤＣＰの第１認証を行い、当該認証が完了すると、ＨＤＣＰの第１認証の完了を示す第１認証完了信号を発生してＣＰＵ１１に出力する。そして、ステップＳ７において、ＣＰＵ１１は、ＨＤＭＩチップ２０から上記第１認証完了信号を受信したか否かを判断し、ＹＥＳのときはステップＳ８に進む一方、ＮＯの場合はステップＳ７に戻る。【００３７】
次に、ステップＳ８において、ステップＳ２で入力されたＥＤＩＤに含まれるプラズマ表示装置２００の製造者のデータに基づいて、待機時間メモリ４に記憶されている待機時間テーブルを参照して待機時間を決定し、待機開始及び当該待機時間を示す制御信号を発生してタイマ回路１５に出力することにより待機を開始する。ＣＰＵ１１からの制御信号に応答して、タイマ回路１５は計時を開始する。次に、ステップＳ９において、タイマ回路１５からの待機終了信号を受信したか否かによって待機時間が経過したか否かを判断し、ＹＥＳのときはステップＳ１０に進む一方、ＮＯのときはステップＳ９に戻る。【００３８】
ステップＳ１０において待機を終了し、無画像無音信号の発生及び出力を停止するようにデコーダ３０を制御する。これに応答してデコーダ３０は、無画像無音信号の発生及び出力を停止する。次にステップＳ１１において、コンテンツを再生してステップＳ５で決定した映像信号の仕様及び音声信号の仕様を有する映像信号及び音声信号を発生して、プラズマ表示装置２００に出力するようにデコーダ３０を制御してコンテンツ送信処理を終了する。これに応答してデコーダ３０は、コンテンツを再生して映像信号及び音声信号を発生してＨＤＭＩチップ２０、ＨＤＭＩコネクタ１０１、ＨＤＭＩケーブル４０１及びＨＤＭＩコネクタ２０１を介してプラズマ表示装置２００のＣＰＵ６１に出力する。ＣＰＵ６１は、入力される映像信号を映像信号処理回路７１を介してディスプレイ７２に出力して表示するとともに、音声信号を音声信号処理回路７３を介してスピーカ７４に出力する。【００３９】
ここで、図２のステップＳ１〜Ｓ５の処理に要する時間は約１秒であり、ステップＳ６におけるＨＤＣＰの第１認証処理に要する時間は約３秒であり、プラズマ表示装置２００でコンテンツを受信する前に実行する初期起動設定処理に要する時間に比較して長い待機時間は０．５〜１．０秒である。従って、コンテンツ再生処理の開始から、プラズマ表示装置２００においてコンテンツに含まれる映像信号及び音声信号が出力されるまでに要する時間は、４．５〜５．５秒程度である。従来は、ＤＶＤプレーヤ等のソース装置とプラズマ表示装置等のシンク装置との間でＨＤＣＰ認証が完了したか否か、及び、シンク装置において初期起動設定処理が終了したか否かに関わらず、ソース装置はコンテンツをシンク装置に送信した。従って、ソース装置においてコンテンツの先頭部分の４．５〜５．５秒程度のデータを受信して出力することができなかった。しかしながら、上記のように構成されたＤＶＤプレーヤ１００によれば、ＣＰＵ１１は、ＨＤＭＩチップ２０とＨＤＭＩチップ６０との間のＨＤＣＰ認証の完了後、プラズマ表示装置２００のＥＤＩＤメモリ６４に予め記憶されているＥＤＩＤのデータに基づいて待機時間を決定し、当該待機時間が経過した後にコンテンツをプラズマ表示装置２００に送信するので、コンテンツに含まれる映像信号及び音声信号を先頭部分から、従来技術に比較して確実にプラズマ表示装置２００においてディスプレイ７２及びスピーカ７４に出力できる。また、ＣＰＵ１１は、待機中は、デコーダ３０を無画像無音信号を発生してプラズマ表示装置２００に出力するように制御するので、プラズマ表示装置２００のディスプレイ７２において映像の乱れが発生せず、スピーカ７４において音飛びが発生しない。【００４０】
上記実施形態において、ＣＰＵ１１は、プラズマ表示装置２００の製造者のデータと、ＨＤＭＩチップ２０とＨＤＭＩチップ６０との間でのＨＤＣＰ認証の完了後の待機時間との関係を示す待機時間テーブルを参照して待機時間を決定したが、本発明はこれに限らず、ユーザがリモートコントローラ９０を使用してＣＰＵ１１に指示した所定の待機時間、ＲＯＭ１３に予め記憶された所定の待機時間、又はＥＤＩＤメモリ６４に記憶されているＥＤＩＤの他のデータに基づいて決定した所定の待機時間でもよく、当該待機時間は、プラズマ表示装置２００でコンテンツを受信する前に実行する初期起動設定処理に要する時間に比較して長い時間値であればよい。【００４１】
上記の実施形態において、ＤＶＤプレーヤ１００は、映像信号をプラズマ表示装置２００のディスプレイ７２に出力して表示するとともに、音声信号をスピーカ７４に出力したが、本発明はこれに限らず、映像信号及び音声信号のうち一方のみをプラズマ表示装置２００に出力してもよい。【００４２】
第２の実施形態．
図３は、本発明の第３の実施形態に係るＤＶＤプレーヤ１００、リモートコントローラ９０、ＡＶアンプ３００及びプラズマ表示装置２００の構成を示すブロック図である。【００４３】
図３において、ＨＤＭＩソース装置であるＤＶＤプレーヤ１００は、ＨＤＭＩコネクタ１０１、ＨＤＭＩケーブル４０２及びＨＤＭＩコネクタ３０１を介してＨＤＭＩ規格を採用した信号リピータ装置（以下、ＨＤＭＩリピータ装置という。）であるＡＶアンプ３００に接続され、ＡＶアンプ３００はＨＤＭＩコネクタ３０２、ＨＤＭＩケーブル４０３及びＨＤＭＩコネクタ２０１を介してＨＤＭＩシンク装置であるプラズマ表示装置２００に接続される。ここで、ＨＤＭＩケーブル４０２，４０３は、ＨＤＭＩ規格に準拠したディジタルデータ伝送バスであり、ＨＤＭＩコネクタ３０１及び３０２は、ＨＤＭＩ規格に準拠したデータ端子である。本実施形態は、図１の第１の実施形態と比較して、ＤＶＤプレーヤ１００のＣＰＵ１１は、プラズマ表示装置２００の製造者のデータに基づいて待機時間を決定し、ＤＶＤプレーヤ１００とＡＶアンプ３００との間のＨＤＣＰ認証及びＡＶアンプ３００とプラズマ表示装置２００との間のＨＤＣＰ認証処理の完了後、当該待機時間が経過した後に、コンテンツに含まれる映像信号をＡＶアンプ３００を介してプラズマ表示装置２００のディスプレイ７２に出力して表示し、コンテンツに含まれる音声信号をＡＶアンプ３００を介してスピーカ８９に出力したことを特徴とする。以下、第１の実施形態との相違点を詳述する。【００４４】
図３において、ＡＶアンプ３００は、ＨＤＭＩチップ８０と、スピーカ８９に接続される音声信号増幅器８８と、ＨＤＭＩコネクタ３０１及び３０２とを備えて構成される。ここで、ＨＤＭＩチップ６０と、音声信号増幅器８８とはＨＤＭＩチップ８０のバス８６を介して互いに接続される。ＨＤＭＩチップ８０は、ＨＤＭＩコネクタ３０１、ＨＤＭＩケーブル４０２及びＨＤＭＩコネクタ１０１を介してＤＶＤプレーヤ１００とのインターフェースをとるためのインターフェース処理、ＨＤＭＩコネクタ３０２、ＨＤＭＩケーブル４０３及びＨＤＭＩコネクタ２０１を介してプラズマ表示装置２００とのインターフェースをとるためのインターフェース処理、ＤＶＤプレーヤ１００及びプラズマ表示装置２００との間でＨＤＣＰ認証を行うための認証処理、ＤＶＤプレーヤ１００からの映像信号をプラズマ表示装置２００に出力する映像信号中継処理、及びＤＶＤプレーヤ１００からの音声信号を音声信号増幅器８８を介してスピーカ８９に出力する音声信号出力処理を実行するチップであり、互いにバス８６を介して接続されるＣＰＵ８１と、ＲＡＭ８２と、ＥＤＩＤメモリ８４を備えたＲＯＭ８３と、インターフェース８５とを備えて構成される。ＲＯＭ８３は、ＨＤＭＩチップ８０の動作に必要であって、ＣＰＵ８１によって実行される種々のソフトウェアのプログラムを予め記憶し、プラズマ表示装置２００のＥＤＩＤメモリ６４に記憶されているＥＤＩＤ及びＡＶアンプ３００の製品情報、製造者名及び音声出力サンプリング等の音声出力仕様等のデータを予め記憶するＥＤＩＤメモリ８４を含む。また、ＲＡＭ８２は、ＳＲＡＭ又はフラッシュメモリ等で構成され、ＣＰＵ８１のワーキングエリアとして使用されてプログラムの実行時に発生する一時的なデータを記憶する。インターフェース８５は、ＤＶＤプレーヤ１００とのインターフェース処理を実行して、ＨＤＭＩ規格に準拠する信号やデータをＨＤＭＩコネクタ３０１、ＨＤＭＩケーブル４０２及びＨＤＭＩコネクタ１０１を介してＤＶＤプレーヤ１００に出力する一方、ＤＶＤプレーヤ１００からＨＤＭＩコネクタ１０１、ＨＤＭＩケーブル４０２及びＨＤＭＩコネクタ３０１を介して入力される信号を受信して、信号変換やプロトコル変換を含む所定のインターフェース処理を実行してＣＰＵ８１に出力する。さらに、インターフェース８５は、プラズマ表示装置２００とのインターフェース処理を実行して、ＨＤＭＩ規格に準拠する信号やデータをＨＤＭＩコネクタ３０２、ＨＤＭＩケーブル４０３及びＨＤＭＩコネクタ２０１を介してプラズマ表示装置２００に出力する一方、プラズマ表示装置２００からＨＤＭＩコネクタ２０１、ＨＤＭＩケーブル４０３及びＨＤＭＩコネクタ３０２を介して入力される信号を受信して、信号変換やプロトコル変換を含む所定のインターフェース処理を実行してＣＰＵ８１に出力する。また、音声信号増幅器８８は、入力される音声信号を、Ｄ／Ａ変換及び増幅してスピーカ８９に出力する。【００４５】
図３において、待機時間メモリ１４は、プラズマ表示装置２００の製造者のデータと、ＨＤＭＩチップ２０とＨＤＭＩチップ８０との間でのＨＤＣＰ認証及びＨＤＭＩチップ８０とＨＤＭＩチップ６０との間でのＨＤＣＰ認証の完了後の待機時間との関係を示す待機時間テーブルを待機時間メモリ１４に予め記憶する。ここで、待機時間は、プラズマ表示装置２００においてコンテンツを受信する前に実行する映像出力仕様の設定等の初期起動設定処理に要する時間に比較して長い時間値であり、プラズマ表示装置２００の製造者に応じて０．５秒〜１．０秒の値を有する。【００４６】
図４は、図３のコントローラ１０によって実行されるコンテンツ送信処理を示すフローチャートである。【００４７】
図４のコンテンツ送信処理において、まずステップＳ１２においてＡＶアンプ３００のＲＯＭ８３のＥＤＩＤメモリ８４からＥＤＩＤを読み出してＣＰＵ１１に出力するようにＨＤＭＩチップ２０を制御する。これに応答してＨＤＭＩチップ２０は、ＥＤＩＤメモリ８４に記憶されているＥＤＩＤを読み出してＣＰＵ１１に出力する。そして、ステップＳ１３において、入力されたＥＤＩＤのデータから、プラズマ表示装置２００の映像出力仕様及びＡＶアンプ３００の音声出力仕様を読み出す。次いで、ステップＳ１４において、再生するコンテンツのヘッダ情報を読み出して、ヘッダ情報からコンテンツに含まれる映像信号の仕様及び音声信号の仕様を読み出すようにデコーダ３０を制御する。これに応答して、デコーダ３０は、再生するコンテンツに含まれる映像信号の仕様及び音声信号の仕様のデータをＣＰＵ１１に出力する。ここで、コンテンツのヘッダ情報は、当該コンテンツに含まれる映像信号の映像符号化方式（例えば、ＲＧＢ、ＹＣＢＣＲ４：４：４又はＹＣＢＣＲ４：２：２）、解像度、フィールド周波数、走査線数等及び音声信号の音声出力サンプリング等のデータを含む。さらに、ステップＳ１５において、ステップＳ１３で読み出したプラズマ表示装置２００の映像出力仕様及びＡＶアンプ３００の音声出力仕様及びステップＳ１４で読み出したコンテンツに含まれる映像信号の仕様及び音声信号の仕様に基づいて、プラズマ表示装置２００に出力する映像信号の仕様及びＡＶアンプ３００に出力する音声信号の仕様を決定する。例えば、コンテンツに含まれる映像信号の仕様が「１９２０×１０８０ｉ」であり、プラズマ表示装置２００に接続の映像出力仕様が「１２８０×７２０ｐ」である場合、プラズマ表示装置２００に出力する映像信号の仕様を「１２８０×７２０ｐ」と決定する。また、例えば、コンテンツに含まれる音声信号の音声出力サンプリングが４８ｋＨｚであり、ＡＶアンプ３００に出力する音声信号の音声出力サンプリングが４４．１ｋＨｚである場合、ＡＶアンプ３００に出力する音声信号の音声出力サンプリングを４４．１ｋＨｚと決定する。次に、ステップＳ１６において、ステップＳ１５で決定された映像信号の仕様及び音声信号の仕様を有する無画像無音信号を発生してＡＶアンプ３００及びプラズマ表示装置２００に出力するようにデコーダ３０を制御する。これに応答してデコーダ３０は、無画像無音信号を発生してＨＤＭＩチップ２０、ＨＤＭＩコネクタ１０１、ＨＤＭＩケーブル４０２及びＨＤＭＩコネクタ３０１を介してＡＶアンプ３００のＣＰＵ８１に出力する。ＣＰＵ８１は、入力される無画像無音信号に含まれる無音信号を音声信号増幅器８８を介してスピーカ８９に出力するとともに、入力される無画像無音信号に含まれる黒画像信号をＨＤＭＩコネクタ３０２、ＨＤＭＩケーブル４０３及びＨＤＭＩコネクタ２０１を介してプラズマ表示装置２００のＣＰＵ６１に出力する。ＣＰＵ６１は、入力される黒画像信号を映像信号処理回路７１を介してディスプレイ７２に出力して表示する。【００４８】
次に、ステップＳ１７において、ＨＤＣＰの第１認証をＡＶアンプ３００のＨＤＭＩチップ８０に対して行うようにＨＤＭＩチップ２０を制御する。これに応答してＨＤＭＩチップ２０のＣＰＵ２１は、ＨＤＭＩチップ８０との間でＨＤＣＰの第１認証処理を実行する。さらに、ＨＤＭＩチップ８０のＣＰＵ８１は、ＨＤＭＩチップ２０との間でのＨＤＣＰの第１認証が完了すると、ＨＤＭＩチップ６０との間でＨＤＣＰの第１認証を行い、第１認証完了信号を発生してＣＰＵ２１に出力する。さらに、ＣＰＵ２１は、ＣＰＵ８１からの第１認証完了信号に応答して、ＨＤＭＩチップ２０とＨＤＭＩチップ８０との間のＨＤＣＰの第１認証の完了及びＨＤＭＩチップ８０とＨＤＭＩチップ６０との間のＨＤＣＰの第１認証の完了を示す第１認証完了信号を発生してＣＰＵ１１に出力する。そして、ステップＳ１８において、ＣＰＵ１１は、ＨＤＭＩチップ８０から上記第１認証完了信号を受信したか否かを判断し、ＹＥＳのときはステップＳ１９に進む一方、ＮＯの場合はステップＳ１８に戻る。【００４９】
ここで、ＨＤＭＩチップ２０は、図示しないＨＤＣＰ認証レジスタを有し、ＨＤＭＩチップ８０との間でのＨＤＣＰの第１認証時に、当該ＨＤＣＰ認証レジスタの所定のビットにＡＶアンプ３００がＨＤＭＩリピータ装置か否かを示すレジスタ値が書き込まれる。ステップＳ１９においてＣＰＵ１１は、ＨＤＭＩチップ２０のＨＤＣＰ認証レジスタの所定のビットのレジスタ値を読み出すことにより、ＡＶアンプ３００がＨＤＭＩリピータ装置である否かを判断し、ＹＥＳのときはステップＳ２０に進む一方、ＮＯのときはステップＳ２２に進む。【００５０】
次いで、ステップＳ２０において、ＨＤＣＰの第２認証をＡＶアンプ３００のＨＤＭＩチップ８０に対して行うようにＨＤＭＩチップ２０を制御する。これに応答してＨＤＭＩチップ２０は、ＨＤＭＩチップ８０との間でＨＤＣＰの第２認証を行い、当該認証が完了すると、ＨＤＣＰの第２認証の完了を示す第２認証完了信号を発生してＣＰＵ１１に出力する。そして、ステップＳ２１において、ＣＰＵ１１は、ＨＤＭＩチップ２０から上記第２認証完了信号を受信したか否かを判断し、ＹＥＳのときはステップＳ２２に進む一方、ＮＯの場合はステップＳ２１に戻る。【００５１】
次に、ステップＳ２２において、ステップＳ１３で入力されたＥＤＩＤに含まれるプラズマ表示装置２００の製造者のデータに基づいて、待機時間メモリ４に記憶されている待機時間テーブルを参照して待機時間を決定し、待機開始及び当該待機時間を示す制御信号を発生してタイマ回路１５に出力することにより待機を開始する。ＣＰＵ１１からの制御信号に応答して、タイマ回路１５は計時を開始する。次に、ステップＳ２３において、タイマ回路１５からの待機終了信号を受信したか否かによって待機時間が経過したか否かを判断し、ＹＥＳのときはステップＳ２４に進む一方、ＮＯのときはステップＳ２３に戻る。【００５２】
ステップＳ２４において待機を終了し、無画像無音信号の発生及び出力を停止するようにデコーダ３０を制御する。これに応答してデコーダ３０は、無画像無音信号の発生及び出力を停止する。次にステップＳ１１において、コンテンツを再生してステップＳ５で決定した映像信号の仕様及び音声信号の仕様を有する映像信号及び音声信号を発生して、プラズマ表示装置２００に出力するようにデコーダ３０を制御してコンテンツ送信処理を終了する。これに応答してデコーダ３０は、コンテンツを再生して映像信号及び音声信号を発生してＨＤＭＩチップ２０、ＨＤＭＩコネクタ１０１、ＨＤＭＩケーブル４０２及びＨＤＭＩコネクタ３０１を介してＡＶアンプ３００のＣＰＵ８１に出力する。ＣＰＵ８１は、入力される音声信号を音声信号増幅器８８を介してスピーカ８９に出力するとともに、入力される映像信号をＨＤＭＩコネクタ３０２、ＨＤＭＩケーブル４０３及びＨＤＭＩコネクタ２０１を介してプラズマ表示装置２００のＣＰＵ６１に出力する。ＣＰＵ６１は、入力される映像信号を映像信号処理回路７１を介してディスプレイ７２に出力して表示する。【００５３】
ここで、図４のステップＳ１２〜Ｓ１６の処理に要する時間は約１秒であり、ステップＳ１８におけるＨＤＭＩチップ２０とＨＤＭＩチップ８０との間及びＨＤＭＩチップ８０とＨＤＭＩチップ６０との間でのＨＤＣＰの第１認証処理に要する時間は合計約６秒であり、ステップＳ２０におけるＨＤＣＰの第２認証に要する時間は約０．１秒であり、ステップＳ２３における待機時間は０．５〜１．０秒である。従って、コンテンツ再生処理の開始から、プラズマ表示装置２００及びＡＶアンプ３００においてコンテンツに含まれる映像信号及び音声信号が出力されるまでに要する時間は、７．６〜８．６秒程度である。上記のように構成されたＤＶＤプレーヤ１００によれば、ＣＰＵ１１は、ＨＤＭＩチップ２０とＨＤＭＩチップ８０との間のＨＤＣＰ認証及び、ＨＤＭＩチップ８０とＨＤＭＩチップ６０との間のＨＤＣＰ認証の完了後、プラズマ表示装置２００のＥＤＩＤメモリ６４に予め記憶されているＥＤＩＤのデータに基づいて待機時間を決定し、当該待機時間が経過した後にコンテンツをプラズマ表示装置２００に送信するので、コンテンツに含まれる映像信号を先頭部分から、従来技術に比較して確実にプラズマ表示装置２００においてディスプレイ７２及びスピーカ７４に出力できるとともに、コンテンツに含まれる音声信号を先頭部分から、従来技術に比較して確実にＡＶアンプ３００に接続されたスピーカ８９に出力できる。また、ＣＰＵ１１は、待機中は、デコーダ３０を無画像無音信号を発生してＡＶアンプ３００及びプラズマ表示装置２００に出力するように制御するので、ＡＶアンプ３００に接続されたスピーカ８９において音飛びが発生せず、プラズマ表示装置２００のディスプレイ７２において映像の乱れが発生しない。【００５４】
上記の実施形態において、ＣＰＵ１１はＥＤＩＤメモリ８４に記憶されたＥＤＩＤのデータに基づいて待機時間を決定したが、本発明はこれに限らず、ＥＤＩＤメモリ６４に記憶されたＥＤＩＤをＡＶアンプ３００を介して読み出し、当該ＥＤＩＤのデータに基づいて待機時間を決定してもよい。【００５５】
上記の実施形態において、ＤＶＤプレーヤ１００は、映像信号をプラズマ表示装置２００のディスプレイ７２に出力して表示するとともに、音声信号をＡＶアンプ３００を介してスピーカ８９に出力したが、本発明はこれに限らず、第１の実施形態と同様に、音声信号をプラズマ表示装置２００のスピーカ７４に出力してもよく、映像信号及び音声信号のうち少なくとも一方をプラズマ表示装置２００に出力してもよい。【００５６】
上記の第１の実施形態において、ＨＤＭＩソース装置であるＤＶＤプレーヤ１００は、ＨＤＭＩケーブル４０１を介してＨＤＭＩシンク装置であるプラズマ表示装置２００に映像信号及び音声信号を出力し、上記の第２の実施形態において、ＤＶＤプレーヤ１００は、ＨＤＭＩケーブル４０２を介してＨＤＭＩリピータ装置であるＡＶアンプ３００に音声信号を出力するとともにＨＤＭＩケーブル４０２、ＡＶアンプ３００及びＨＤＭＩケーブル４０３を介してプラズマ表示装置２００に映像信号及び音声信号を出力したが、本発明はこれに限らず、ディジタルテレビジョン信号受信装置、ディジタルスチルカメラ、ディジタルビデオカメラ等の信号ソース装置や、液晶表示装置、プロジェクタ等の信号シンク装置や、その他の信号リピータ装置であってもよい。【００５７】
また、上記各実施形態において、無画像無音信号は黒画像信号を含んだが、本発明はこれに限らず、黒以外の色の画像信号であってもよい。
【産業上の利用可能性】
【００５８】
以上詳述したように、本発明に係る信号ソース装置及びその制御方法によれば、信号ソース装置は、信号シンク装置との間で機器認証を完了した後に、映像信号及び音声信号のうちの少なくとも一方を信号シンク装置に出力するので、映像信号及び音声信号のうちの少なくとも一方を、その先頭部分から従来技術に比較して確実に信号シンク装置に出力できる。また、本発明に係るコンピュータにより実行可能なプログラムよれば、上記信号ソース装置の制御方法における各ステップを含むプログラムを提供できる。
【図１】
2007023939.tif 000003
【図２】
2007023939.tif 000004
【図３】
2007023939.tif 000005
【図４】
2007023939.tif 000006
【手続補正書】
【提出日】平成18年10月26日(2006.10.26)
【手続補正１】
【補正対象書類名】特許請求の範囲
【補正対象項目名】全文
【補正方法】変更
【補正の内容】
【書類名】特許請求の範囲【請求項１】映像信号及び音声信号のうちの少なくとも一方を発生して、所定の規格に準拠する伝送路を介して信号シンク装置に出力する信号ソース装置において、  上記信号シンク装置との間で機器認証を完了した後に、上記映像信号及び音声信号のうちの少なくとも一方を上記信号シンク装置に出力する制御手段を備え、  上記制御手段は、上記機器認証完了後に、上記信号シンク装置での初期起動設定処理に要する時間よりも長くなるように設定された所定の待機時間が経過した後に、上記映像信号及び音声信号のうちの少なくとも一方を上記信号シンク装置に出力することを特徴とする信号ソース装置。【請求項２】上記信号ソース装置は、上記映像信号及び音声信号のうちの少なくとも一方を信号リピータ装置を介して上記信号シンク装置に出力し、  上記制御手段は、上記信号ソース装置と上記信号シンク装置との間での機器認証、及び上記信号リピータ装置と上記信号シンク装置との間での機器認証が完了した後に、上記映像信号及び音声信号のうちの少なくとも一方を上記信号シンク装置に出力することを特徴とする請求項１記載の信号ソース装置。【請求項３】（削除）【請求項４】上記制御手段は、上記信号シンク装置の識別情報、映像出力仕様及び音声出力仕様の少なくとも１つを含むデータを受信して、当該受信したデータに基づいて上記所定の待機時間を決定することを特徴とする請求項１記載の信号ソース装置。【請求項５】上記所定の待機時間を上記信号ソース装置に入力する入力手段をさらに備えたことを特徴とする請求項１記載の信号ソース装置。【請求項６】所定の仕様を有する無画像無音信号を発生して上記信号シンク装置に出力する無画像無音信号発生手段をさらに備え、  上記制御手段は、上記機器認証完了後に、上記無画像無音信号を発生して上記信号シンク装置に出力するように上記無画像無音信号発生手段を制御し、上記待機時間の経過後に、上記無画像無音信号の発生及び出力を停止するように上記無画像無音信号発生手段を制御することを特徴とする請求項１、２、４又は５記載の信号ソース装置。【請求項７】映像信号及び音声信号のうちの少なくとも一方を発生して、所定の規格に準拠する伝送路を介して信号シンク装置に出力する信号ソース装置の制御方法において、  上記信号シンク装置との間で機器認証を完了した後に、上記映像信号及び音声信号のうちの少なくとも一方を上記信号シンク装置に出力するステップと、  上記機器認証完了後に、上記信号シンク装置での初期起動設定処理に要する時間よりも長くなるように設定された所定の待機時間が経過した後に、上記映像信号及び音声信号のうちの少なくとも一方を上記信号シンク装置に出力するステップとを含むことを特徴とする信号ソース装置の制御方法。【請求項８】上記映像信号及び音声信号のうちの少なくとも一方を信号リピータ装置を介して上記信号シンク装置に出力し、上記信号ソース装置と上記信号シンク装置との間での機器認証、及び上記信号リピータ装置と上記信号シンク装置との間での機器認証が完了した後に、上記映像信号及び音声信号のうちの少なくとも一方を上記信号シンク装置に出力するステップをさらに含むことを特徴とする請求項７記載の信号ソース装置の制御方法。【請求項９】（削除）【請求項１０】上記信号シンク装置の識別情報、映像出力仕様及び音声出力仕様の少なくとも１つを含むデータを受信して、当該受信したデータに基づいて上記所定の待機時間を決定するステップをさらに含むことを特徴とする請求項７記載の信号ソース装置の制御方法。【請求項１１】上記所定の待機時間を上記信号ソース装置に入力するステップをさらに含むことを特徴とする請求項７記載の信号ソース装置の制御方法。【請求項１２】上記機器認証完了後に、所定の仕様を有する無画像無音信号を発生して上記信号シンク装置に出力し、上記待機時間の経過後に、上記無画像無音信号の発生及び出力を停止するステップをさらに含むことを特徴とする請求項７、８、１０又は１１記載の信号ソース装置の制御方法。【請求項１３】請求項７記載の信号ソース装置の制御方法における各ステップを含むことを特徴とするコンピュータにより実行可能なプログラム。【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
映像信号及び音声信号のうちの少なくとも一方を発生して、所定の規格に準拠する伝送路を介して信号シンク装置に出力する信号ソース装置において、
上記信号シンク装置との間で機器認証を完了した後に、上記映像信号及び音声信号のうちの少なくとも一方を上記信号シンク装置に出力する制御手段を備え、
上記制御手段は、上記機器認証完了後に、上記信号シンク装置での初期起動設定処理に要する時間よりも長くなるように設定された所定の待機時間が経過した後に、上記映像信号及び音声信号のうちの少なくとも一方を上記信号シンク装置に出力することを特徴とする信号ソース装置。
【請求項２】
上記信号ソース装置は、上記映像信号及び音声信号のうちの少なくとも一方を信号リピータ装置を介して上記信号シンク装置に出力し、
上記制御手段は、上記信号ソース装置と上記信号シンク装置との間での機器認証、及び上記信号リピータ装置と上記信号シンク装置との間での機器認証が完了した後に、上記映像信号及び音声信号のうちの少なくとも一方を上記信号シンク装置に出力することを特徴とする請求項１記載の信号ソース装置。
【請求項３】
上記制御手段は、上記信号シンク装置の識別情報、映像出力仕様及び音声出力仕様の少なくとも１つを含むデータを受信して、当該受信したデータに基づいて上記所定の待機時間を決定することを特徴とする請求項１記載の信号ソース装置。
【請求項４】
上記所定の待機時間を上記信号ソース装置に入力する入力手段をさらに備えたことを特徴とする請求項１記載の信号ソース装置。
【請求項５】
所定の仕様を有する無画像無音信号を発生して上記信号シンク装置に出力する無画像無音信号発生手段をさらに備え、
上記制御手段は、上記機器認証完了後に、上記無画像無音信号を発生して上記信号シンク装置に出力するように上記無画像無音信号発生手段を制御し、上記待機時間の経過後に、上記無画像無音信号の発生及び出力を停止するように上記無画像無音信号発生手段を制御することを特徴とする請求項１乃至４のうちのいずれか１つに記載の信号ソース装置。
【請求項６】
映像信号及び音声信号のうちの少なくとも一方を発生して、所定の規格に準拠する伝送路を介して信号シンク装置に出力する信号ソース装置の制御方法において、
上記信号シンク装置との間で機器認証を完了した後に、上記映像信号及び音声信号のうちの少なくとも一方を上記信号シンク装置に出力するステップと、
上記機器認証完了後に、上記信号シンク装置での初期起動設定処理に要する時間よりも長くなるように設定された所定の待機時間が経過した後に、上記映像信号及び音声信号のうちの少なくとも一方を上記信号シンク装置に出力するステップとを含むことを特徴とする信号ソース装置の制御方法。
【請求項７】
上記映像信号及び音声信号のうちの少なくとも一方を信号リピータ装置を介して上記信号シンク装置に出力し、上記信号ソース装置と上記信号シンク装置との間での機器認証、及び上記信号リピータ装置と上記信号シンク装置との間での機器認証が完了した後に、上記映像信号及び音声信号のうちの少なくとも一方を上記信号シンク装置に出力するステップをさらに含むことを特徴とする請求項６記載の信号ソース装置の制御方法。
【請求項８】
上記信号シンク装置の識別情報、映像出力仕様及び音声出力仕様の少なくとも１つを含むデータを受信して、当該受信したデータに基づいて上記所定の待機時間を決定するステップをさらに含むことを特徴とする請求項６記載の信号ソース装置の制御方法。
【請求項９】
上記所定の待機時間を上記信号ソース装置に入力するステップをさらに含むことを特徴とする請求項６記載の信号ソース装置の制御方法。
【請求項１０】
上記機器認証完了後に、所定の仕様を有する無画像無音信号を発生して上記信号シンク装置に出力し、上記待機時間の経過後に、上記無画像無音信号の発生及び出力を停止するステップをさらに含むことを特徴とする請求項６乃至９のうちのいずれか１つに記載の信号ソース装置の制御方法。
【請求項１１】
請求項６記載の信号ソース装置の制御方法における各ステップを含むことを特徴とするコンピュータにより実行可能なプログラム。
【手続補正２】
【補正対象書類名】明細書
【補正対象項目名】全文
【補正方法】変更
【補正の内容】
【発明の詳細な説明】
【技術分野】
【０００１】
本発明は、映像信号及び音声信号のうちの少なくとも一方を発生して、所定の規格に準拠する伝送路を介して信号シンク装置に出力する信号ソース装置及びその制御方法に関する。
【背景技術】
【０００２】
従来、コンテンツを再生してディジタル映像信号及びディジタル音声信号を発生し、液晶表示装置等の映像出力装置やディジタルスピーカ等の音声出力装置に送信して出力するＤＶＤプレーヤ等のソース装置及びその制御方法が提案されている（例えば、特許文献１−３等参照。）。
【０００３】
近年、ディジタル映像信号及びディジタル音声信号を、ＤＶＤプレーヤやセットトップボックス等のソース装置から、液晶表示装置やプロジェクタ等のシンク装置に送信するためのインターフェース規格である高品位マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ；以下、ＨＤＭＩという。）規格が提案され、ＨＤＭＩ規格を採用したＡＶ機器が市場に普及している。ＨＤＭＩ規格においては、コンテンツの著作権保護のためにＨＤＣＰ（Ｈｉｇｈ−Ｂａｎｄｗｉｄｔｈ  Ｄｉｇｉｔａｌ  Ｃｏｎｔｅｎｔ  Ｐｒｏｔｅｃｔｉｏｎ；以下、ＨＤＣＰという。）認証が採用されている。
【０００４】
【特許文献１】特開２０００−３１２３１７号公報。
【特許文献２】特開２０００−２１７０７１号公報。
【特許文献３】特開平５−３２８２３９号公報。
【発明の開示】
【発明が解決しようとする課題】
【０００５】
しかしながら、従来技術に係るソース装置及びその制御方法によれば、信号ソース装置と信号シンク装置との間でＨＤＣＰ認証が終了したか否か、及び、信号シンク装置において音声出力サンプリングの設定や映像出力解像度の設定等の初期起動設定処理が終了したか否かに関わらず、信号ソース装置は信号シンク装置に映像信号及び音声信号を出力した。従って、ＨＤＭＩ規格を採用した信号ソース装置（以下、ＨＤＭＩソース装置という。）及びＨＤＭＩ規格を採用した信号シンク装置（以下、ＨＤＭＩシンク装置という。）を備えて構成されるシステムにおいて、ＨＤＣＰ認証及び上記初期設定処理が終了していないときに、ＨＤＭＩソース装置からＨＤＭＩシンク装置に映像信号及び音声信号が送信されると、ＨＤＭＩシンク装置において映像信号及び音声信号の先頭部分を受信できず、当該先頭部分に含まれる映像データ及び音声データをＨＤＭＩシンク装置のディスプレイ及びスピーカから出力できないという問題があった。
【０００６】
本発明の目的は以上の問題点を解決し、映像信号及び音声信号のうちの少なくとも一方をその先頭部分から従来技術に比較して確実に信号シンク装置に出力できる信号ソース装置及びその制御方法並びにそのコンピュータにより実行可能なプログラムを提供することにある。
【課題を解決するための手段】
【０００７】
第１の発明に係る信号ソース装置は、映像信号及び音声信号のうちの少なくとも一方を発生して、所定の規格に準拠する伝送路を介して信号シンク装置に出力する信号ソース装置において、上記信号シンク装置との間で機器認証を完了した後に、上記映像信号及び音声信号のうちの少なくとも一方を上記信号シンク装置に出力する制御手段を備えたことを特徴とする。
【０００８】
上記信号ソース装置は、上記映像信号及び音声信号のうちの少なくとも一方を信号リピータ装置を介して上記信号シンク装置に出力し、
上記制御手段は、上記信号ソース装置と上記信号シンク装置との間での機器認証、及び上記信号リピータ装置と上記信号シンク装置との間での機器認証が完了した後に、上記映像信号及び音声信号のうちの少なくとも一方を上記信号シンク装置に出力することを特徴とする。
【０００９】
また、上記信号ソース装置において、上記制御手段は、上記機器認証完了後に、上記信号シンク装置での初期起動設定処理に要する時間よりも長くなるように設定された所定の待機時間が経過した後に、上記映像信号及び音声信号のうちの少なくとも一方を上記信号シンク装置に出力することを特徴とする。
【００１０】
さらに、上記信号ソース装置において、上記制御手段は、上記信号シンク装置の識別情報、映像出力仕様及び音声出力仕様の少なくとも１つを含むデータを受信して、当該受信したデータに基づいて上記所定の待機時間を決定することを特徴とする。
【００１１】
またさらに、上記信号ソース装置において、上記所定の待機時間を上記信号ソース装置に入力する入力手段をさらに備えたことを特徴とする。
【００１２】
また、上記信号ソース装置において、所定の仕様を有する無画像無音信号を発生して上記信号シンク装置に出力する無画像無音信号発生手段をさらに備え、
上記制御手段は、上記機器認証完了後に、上記無画像無音信号を発生して上記信号シンク装置に出力するように上記無画像無音信号発生手段を制御し、上記待機時間の経過後に、上記無画像無音信号の発生及び出力を停止するように上記無画像無音信号発生手段を制御することを特徴とする。
【００１３】
第２の発明に係る信号ソース装置の制御方法は、映像信号及び音声信号のうちの少なくとも一方を発生して、所定の規格に準拠する伝送路を介して信号シンク装置に出力する信号ソース装置の制御方法において、
上記信号シンク装置との間で機器認証を完了した後に、上記映像信号及び音声信号のうちの少なくとも一方を上記信号シンク装置に出力するステップを含むことを特徴とする。
【００１４】
上記信号ソース装置の制御方法において、上記映像信号及び音声信号のうちの少なくとも一方を信号リピータ装置を介して上記信号シンク装置に出力し、上記信号ソース装置と上記信号シンク装置との間での機器認証、及び上記信号リピータ装置と上記信号シンク装置との間での機器認証が完了した後に、上記映像信号及び音声信号のうちの少なくとも一方を上記信号シンク装置に出力するステップをさらに含むことを特徴とする。
【００１５】
また、上記信号ソース装置の制御方法において、上記機器認証完了後に、上記信号シンク装置での初期起動設定処理に要する時間よりも長くなるように設定された所定の待機時間が経過した後に、上記映像信号及び音声信号のうちの少なくとも一方を上記信号シンク装置に出力するステップをさらに含むことを特徴とする。
【００１６】
さらに、上記信号ソース装置の制御方法において、上記信号シンク装置の識別情報、映像出力仕様及び音声出力仕様の少なくとも１つを含むデータを受信して、当該受信したデータに基づいて上記所定の待機時間を決定するステップをさらに含むことを特徴とする。
【００１７】
またさらに、上記信号ソース装置の制御方法において、上記所定の待機時間を上記信号ソース装置に入力するステップをさらに含むことを特徴とする。
【００１８】
また、上記信号ソース装置の制御方法において、上記機器認証完了後に、所定の仕様を有する無画像無音信号を発生して上記信号シンク装置に出力し、上記待機時間の経過後に、上記無画像無音信号の発生及び出力を停止するステップをさらに含むことを特徴とする。
【００１９】
第３の発明に係るコンピュータにより実行可能なプログラムは、上記の信号ソース装置の制御方法における各ステップを含むことを特徴とする。
【発明の効果】
【００２０】
本発明に係る信号ソース装置及びその制御方法によれば、信号ソース装置は、信号シンク装置との間で機器認証を完了した後に、映像信号及び音声信号のうちの少なくとも一方を信号シンク装置に出力するので、映像信号及び音声信号のうちの少なくとも一方をその先頭部分から従来技術に比較して確実に信号シンク装置に出力できる。また、本発明に係るコンピュータにより実行可能なプログラムよれば、上記信号ソース装置の制御方法における各ステップを含むコンピュータにより実行可能なプログラムを提供できる。
【発明を実施するための最良の形態】
【００２１】
以下、本発明に係る実施形態について図面を参照して説明する。なお、同様の構成要素については同一の符号を付している。
【００２２】
第１の実施形態．
図１は、本発明の第１の実施形態に係るＤＶＤプレーヤ１００、リモートコントローラ９０及びプラズマ表示装置２００の構成を示すブロック図である。
【００２３】
図１において、ＨＤＭＩソース装置（ＨＤＭＩ規格を採用した信号ソース装置）であるＤＶＤプレーヤ１００は、ＨＤＭＩコネクタ１０１、ＨＤＭＩケーブル４０１及びＨＤＭＩコネクタ２０１を介してＨＤＭＩシンク装置（ＨＤＭＩ規格を採用した信号シンク装置）であるプラズマ表示装置２００に接続される。ここで、ＨＤＭＩケーブル４０１は、ＨＤＭＩ規格に準拠したディジタルデータ伝送バスであり、ＨＤＭＩコネクタ１０１及び２０１は、ＨＤＭＩ規格に準拠したデータ端子である。図１において、ＨＤＭＩソース装置であるＤＶＤプレーヤ１００は、プラズマ表示装置２００との間でＨＤＣＰ認証を完了した後に、映像信号及び音声信号をプラズマ表示装置２００に出力するコントローラ１０を備えたことを特徴とする。
【００２４】
また、リモートコントローラ９０は、リモコン信号送信回路９１を備え、ユーザからのコンテンツ再生指示等に基づいて所定のリモコン信号を発生して、ＤＶＤプレーヤ１００のリモコン信号受光回路５１に光無線送信する。
【００２５】
図１において、ＤＶＤプレーヤ１００は、コントローラ１０と、ＨＤＭＩチップ２０と、無画像無音信号発生回路３１を備えたデコーダ３０と、ＤＶＤドライブ４０と、ＤＶＤ５０と、リモコン信号受光回路５１と、ＨＤＭＩコネクタ１０１とを備えて構成される。ここで、コントローラ１０と、ＨＤＭＩチップ２０と、デコーダ３０と、ＤＶＤドライブ４０と、リモコン信号受光回路５１とはコントローラ１０のバス１６及びＨＤＭＩチップ２０のバス２５を介して互いに接続される。
【００２６】
コントローラ１０は、ＤＶＤプレーヤ１００の全体の動作を制御するためのコントローラであって、互いにバス１６を介して接続されるＣＰＵ（Ｃｅｎｔｒａｌ  Ｐｒｏｃｅｓｓｉｎｇ  Ｕｎｉｔ）１１と、ＲＡＭ（Ｒａｎｄｏｍ  Ａｃｃｅｓｓ  Ｍｅｍｏｒｙ）１２と、待機時間メモリ１４を有するＲＯＭ（Ｒｅａｄ  Ｏｎｌｙ  Ｍｅｍｏｒｙ）１３と、タイマ回路１５とを備えて構成される。ＣＰＵ１１は、ＤＶＤプレーヤ１００の全体の動作を制御するコンピュータであって、詳細後述するコンテンツ送信処理等のソフトウェアのプログラム等を実行する。ＲＯＭ１３は、ＤＶＤプレーヤ１００の動作に必要な種々のソフトウェア及び、ＣＰＵ１１によって実行される詳細後述するコンテンツ送信処理等のソフトウェアのコンピュータにより実行可能なプログラムを予め記憶し、プラズマ表示装置２００の製造者と、ＨＤＭＩチップ２０とＨＤＭＩチップ６０との間でのＨＤＣＰ認証の完了後、ＤＶＤ５０のコンテンツを再生して映像信号及び音声信号を発生してプラズマ表示装置に出力するまでの待機時間との関係を示す待機時間テーブルを予め記憶する待機時間メモリ１４を含む。ここで、待機時間は、プラズマ表示装置２００においてコンテンツを受信する前に実行する音声出力サンプリングの設定や映像出力仕様の設定等の初期起動設定処理に要する時間に比較して長い時間値であり、プラズマ表示装置２００の製造者に応じて０．５秒〜１．０秒の値を有する。また、ＲＡＭ１２は、ＳＲＡＭ又はフラッシュメモリ等で構成され、ＣＰＵ１１のワーキングエリアとして使用されてプログラムの実行時に発生する一時的なデータを記憶する。タイマ回路１５は、ＣＰＵ１１からの待機開始及び所定の待機時間を示す制御信号に応答して計時を開始し、当該待機時間が経過したときに、待機時間の終了を示す待機終了信号を発生してＣＰＵ１１に出力する。
【００２７】
図１のＤＶＤプレーヤ１００において、ＨＤＭＩチップ２０は、ＨＤＭＩコネクタ１０１、ＨＤＭＩケーブル４０１及びＨＤＭＩコネクタ２０１を介してプラズマ表示装置２００とのインターフェースをとるためのインターフェース処理及びプラズマ表示装置２００との間でＨＤＣＰ認証を行うための認証処理を実行するチップであり、互いにバス２５を介して接続されるＣＰＵ２１と、ＲＡＭ２２と、ＲＯＭ２３と、インターフェース２４とを備えて構成される。ＲＯＭ２３は、ＨＤＭＩチップ２０の動作に必要であって、ＣＰＵ２１によって実行される種々のソフトウェアのプログラムを記憶する。また、ＲＡＭ２２は、ＳＲＡＭ又はフラッシュメモリ等で構成され、ＣＰＵ２１のワーキングエリアとして使用されてプログラムの実行時に発生する一時的なデータを記憶する。インターフェース２４は、プラズマ表示装置２００とのインターフェース処理を実行して、ＨＤＭＩ規格に準拠する信号やデータをＨＤＭＩコネクタ１０１、ＨＤＭＩケーブル４０１及びＨＤＭＩコネクタ２０１を介してプラズマ表示装置２００に出力する一方、プラズマ表示装置２００からＨＤＭＩコネクタ２０１、ＨＤＭＩケーブル４０１及びＨＤＭＩコネクタ１０１を介して入力される信号を受信して、信号変換やプロトコル変換を含む所定のインターフェース処理を実行してＣＰＵ２１に出力する。
【００２８】
また、デコーダ３０の動作はＣＰＵ１１によって制御される。デコーダ３０は、ＤＶＤ５０に格納されたコンテンツをＤＶＤドライブ４０を用いて再生してＣＰＵ１１又はＣＰＵ２１に出力するとともに、所定の仕様を有する黒画像信号及び無音信号を含む無画像無音信号を発生してＣＰＵ２１に出力する。ここで、黒画像信号は輝度信号の値が１０ｈ（１６進法）であり色差信号の値が８０ｈ（１６進法）である映像信号であり、無音信号は音量値が００ｈ（１６進法）である音声信号である。
【００２９】
リモコン信号受光回路５１は、リモートコントローラ９０からのリモコン信号を受光し、ＣＰＵ１１に出力する。
【００３０】
図１において、プラズマ表示装置２００は、ＨＤＭＩチップ６０と、映像信号処理回路７１と、ディスプレイ７２と、音声信号処理回路７３と、スピーカ７４と、ＨＤＭＩコネクタ２０１とを備えて構成される。ここで、ＨＤＭＩチップ６０と、映像信号処理回路７１と、音声信号処理回路７３とはＨＤＭＩチップ６０のバス６６を介して互いに接続される。ＨＤＭＩチップ６０は、ＨＤＭＩコネクタ２０１、ＨＤＭＩケーブル４０１及びＨＤＭＩコネクタ１０１を介してＤＶＤプレーヤ１００とのインターフェースをとるためのインターフェース処理、ＤＶＤプレーヤ１００との間でＨＤＣＰ認証を行うための認証処理及びＤＶＤプレーヤ１００からの映像信号を映像信号処理回路７１を介してディスプレイ７２に出力して表示する映像信号出力処理、及びＤＶＤプレーヤ１００からの音声信号を音声信号処理回路７３を介してスピーカ７４に出力する音声信号出力処理を実行するチップであり、互いにバス６６を介して接続されるＣＰＵ６１と、ＲＡＭ６２と、ＥＤＩＤ（Ｅｘｔｅｎｄｅｄ  Ｄｉｓｐｌａｙ  Ｉｄｅｎｔｉｆｉｃａｔｉｏｎ  Ｄａｔａ；以下、ＥＤＩＤという。）メモリ６４を備えたＲＯＭ６３と、インターフェース６５とを備えて構成される。ＲＯＭ６３は、ＨＤＭＩチップ６０の動作に必要であって、ＣＰＵ６１によって実行される種々のソフトウェアのプログラムを予め記憶し、プラズマ表示装置２００の製品情報、製造者名、映像符号化方式（例えば、ＲＧＢ、ＹＣＢＣＲ４：４：４又はＹＣＢＣＲ４：２：２）、解像度、フィールド周波数、走査線数等の映像出力仕様及び音声出力サンプリング等の音声出力仕様等のデータを予め記憶するＥＤＩＤメモリ６４を含む。また、ＲＡＭ６２は、ＳＲＡＭ又はフラッシュメモリ等で構成され、ＣＰＵ６１のワーキングエリアとして使用されてプログラムの実行時に発生する一時的なデータを記憶する。インターフェース６５は、ＤＶＤプレーヤ１００とのインターフェース処理を実行して、ＨＤＭＩ規格に準拠する信号やデータをＨＤＭＩコネクタ２０１、ＨＤＭＩケーブル４０１及びＨＤＭＩコネクタ１０１を介してＤＶＤプレーヤ１００に出力する一方、ＤＶＤプレーヤ１００からＨＤＭＩコネクタ１０１、ＨＤＭＩケーブル４０１及びＨＤＭＩコネクタ２０１を介して入力される信号を受信して、信号変換やプロトコル変換を含む所定のインターフェース処理を実行してＣＰＵ６１に出力する。
【００３１】
また、映像信号処理回路７１は、ＤＶＤプレーヤ１００からＨＤＭＩコネクタ１０１、ＨＤＭＩケーブル４０４及びＨＤＭＩコネクタ２０１を介して入力される映像信号を所定の仕様を有する映像表示用信号に変換してディスプレイ７２に出力して表示する。さらに、音声信号処理回路７３は、ＤＶＤプレーヤ１００からＨＤＭＩコネクタ１０１、ＨＤＭＩケーブル４０４及びＨＤＭＩコネクタ２０１を介して入力される音声信号を、Ｄ／Ａ変換及び増幅してスピーカ７４に出力する。
【００３２】
図２は、図１のコントローラ１０によって実行されるコンテンツ送信処理を示すフローチャートである。
【００３３】
図２のコンテンツ送信処理において、まずステップＳ１においてプラズマ表示装置２００のＲＯＭ６３のＥＤＩＤメモリ６４からＥＤＩＤを読み出してＣＰＵ１１に出力するようにＨＤＭＩチップ２０を制御する。これに応答してＨＤＭＩチップ２０は、ＥＤＩＤメモリ６４に記憶されているＥＤＩＤを読み出してＣＰＵ１１に出力する。そして、ステップＳ２において、入力されたＥＤＩＤのデータから、プラズマ表示装置２００の映像出力仕様及び音声出力仕様を読み出す。次いで、ステップＳ３において、再生するコンテンツのヘッダ情報を読み出して、ヘッダ情報からコンテンツに含まれる映像信号の仕様及び音声信号の仕様を読み出すようにデコーダ３０を制御する。これに応答して、デコーダ３０は、再生するコンテンツに含まれる映像信号の仕様及び音声信号の仕様のデータをＣＰＵ１１に出力する。ここで、コンテンツのヘッダ情報は、当該コンテンツに含まれる映像信号の映像符号化方式（例えば、ＲＧＢ、ＹＣＢＣＲ４：４：４又はＹＣＢＣＲ４：２：２）、解像度、フィールド周波数、走査線数等及び音声信号の音声出力サンプリング等のデータを含む。さらに、ステップＳ４において、ステップＳ２で読み出したプラズマ表示装置２００の映像出力仕様及び音声出力仕様及びステップＳ３で読み出したコンテンツに含まれる映像信号の仕様及び音声信号の仕様に基づいて、プラズマ表示装置２００に出力する映像信号の仕様及び音声信号の仕様を決定する。例えば、コンテンツに含まれる映像信号の仕様が「１９２０×１０８０ｉ」であり、プラズマ表示装置２００に接続の映像出力仕様が「１２８０×７２０ｐ」である場合、プラズマ表示装置２００に出力する映像信号の仕様を「１２８０×７２０ｐ」と決定する。また、例えば、コンテンツに含まれる音声信号の音声出力サンプリングが４８ｋＨｚであり、プラズマ表示装置２００の音声出力サンプリングが４４．１ｋＨｚである場合、プラズマ表示装置２００に出力する音声信号の音声出力サンプリングを４４．１ｋＨｚと決定する。次に、ステップＳ５において、ステップＳ４で決定された映像信号の仕様及び音声信号の仕様を有する無画像無音信号を発生してプラズマ表示装置２００に出力するようにデコーダ３０を制御する。これに応答してデコーダ３０は、無画像無音信号を発生してＨＤＭＩチップ２０、ＨＤＭＩコネクタ１０１、ＨＤＭＩケーブル４０１及びＨＤＭＩコネクタ２０１を介してプラズマ表示装置２００のＣＰＵ６１に出力する。ＣＰＵ６１は、入力される無画像無音信号に含まれる黒画像信号を映像信号処理回路７１を介してディスプレイ７２に出力して表示するとともに、無音信号を音声信号処理回路７３を介してスピーカ７４に出力する。
【００３４】
次に、ステップＳ６において、ＨＤＣＰの第１認証をプラズマ表示装置２００のＨＤＭＩチップ６０に対して行うようにＨＤＭＩチップ２０を制御する。これに応答してＨＤＭＩチップ２０は、ＨＤＭＩチップ６０との間でＨＤＣＰの第１認証を行い、当該認証が完了すると、ＨＤＣＰの第１認証の完了を示す第１認証完了信号を発生してＣＰＵ１１に出力する。そして、ステップＳ７において、ＣＰＵ１１は、ＨＤＭＩチップ２０から上記第１認証完了信号を受信したか否かを判断し、ＹＥＳのときはステップＳ８に進む一方、ＮＯの場合はステップＳ７に戻る。
【００３５】
次に、ステップＳ８において、ステップＳ２で入力されたＥＤＩＤに含まれるプラズマ表示装置２００の製造者のデータに基づいて、待機時間メモリ４に記憶されている待機時間テーブルを参照して待機時間を決定し、待機開始及び当該待機時間を示す制御信号を発生してタイマ回路１５に出力することにより待機を開始する。ＣＰＵ１１からの制御信号に応答して、タイマ回路１５は計時を開始する。次に、ステップＳ９において、タイマ回路１５からの待機終了信号を受信したか否かによって待機時間が経過したか否かを判断し、ＹＥＳのときはステップＳ１０に進む一方、ＮＯのときはステップＳ９に戻る。
【００３６】
ステップＳ１０において待機を終了し、無画像無音信号の発生及び出力を停止するようにデコーダ３０を制御する。これに応答してデコーダ３０は、無画像無音信号の発生及び出力を停止する。次にステップＳ１１において、コンテンツを再生してステップＳ５で決定した映像信号の仕様及び音声信号の仕様を有する映像信号及び音声信号を発生して、プラズマ表示装置２００に出力するようにデコーダ３０を制御してコンテンツ送信処理を終了する。これに応答してデコーダ３０は、コンテンツを再生して映像信号及び音声信号を発生してＨＤＭＩチップ２０、ＨＤＭＩコネクタ１０１、ＨＤＭＩケーブル４０１及びＨＤＭＩコネクタ２０１を介してプラズマ表示装置２００のＣＰＵ６１に出力する。ＣＰＵ６１は、入力される映像信号を映像信号処理回路７１を介してディスプレイ７２に出力して表示するとともに、音声信号を音声信号処理回路７３を介してスピーカ７４に出力する。
【００３７】
ここで、図２のステップＳ１〜Ｓ５の処理に要する時間は約１秒であり、ステップＳ６におけるＨＤＣＰの第１認証処理に要する時間は約３秒であり、プラズマ表示装置２００でコンテンツを受信する前に実行する初期起動設定処理に要する時間に比較して長い待機時間は０．５〜１．０秒である。従って、コンテンツ再生処理の開始から、プラズマ表示装置２００においてコンテンツに含まれる映像信号及び音声信号が出力されるまでに要する時間は、４．５〜５．５秒程度である。従来は、ＤＶＤプレーヤ等のソース装置とプラズマ表示装置等のシンク装置との間でＨＤＣＰ認証が完了したか否か、及び、シンク装置において初期起動設定処理が終了したか否かに関わらず、ソース装置はコンテンツをシンク装置に送信した。従って、ソース装置においてコンテンツの先頭部分の４．５〜５．５秒程度のデータを受信して出力することができなかった。しかしながら、上記のように構成されたＤＶＤプレーヤ１００によれば、ＣＰＵ１１は、ＨＤＭＩチップ２０とＨＤＭＩチップ６０との間のＨＤＣＰ認証の完了後、プラズマ表示装置２００のＥＤＩＤメモリ６４に予め記憶されているＥＤＩＤのデータに基づいて待機時間を決定し、当該待機時間が経過した後にコンテンツをプラズマ表示装置２００に送信するので、コンテンツに含まれる映像信号及び音声信号を先頭部分から、従来技術に比較して確実にプラズマ表示装置２００においてディスプレイ７２及びスピーカ７４に出力できる。また、ＣＰＵ１１は、待機中は、デコーダ３０を無画像無音信号を発生してプラズマ表示装置２００に出力するように制御するので、プラズマ表示装置２００のディスプレイ７２において映像の乱れが発生せず、スピーカ７４において音飛びが発生しない。
【００３８】
上記実施形態において、ＣＰＵ１１は、プラズマ表示装置２００の製造者のデータと、ＨＤＭＩチップ２０とＨＤＭＩチップ６０との間でのＨＤＣＰ認証の完了後の待機時間との関係を示す待機時間テーブルを参照して待機時間を決定したが、本発明はこれに限らず、ユーザがリモートコントローラ９０を使用してＣＰＵ１１に指示した所定の待機時間、ＲＯＭ１３に予め記憶された所定の待機時間、又はＥＤＩＤメモリ６４に記憶されているＥＤＩＤの他のデータに基づいて決定した所定の待機時間でもよく、当該待機時間は、プラズマ表示装置２００でコンテンツを受信する前に実行する初期起動設定処理に要する時間に比較して長い時間値であればよい。
【００３９】
上記の実施形態において、ＤＶＤプレーヤ１００は、映像信号をプラズマ表示装置２００のディスプレイ７２に出力して表示するとともに、音声信号をスピーカ７４に出力したが、本発明はこれに限らず、映像信号及び音声信号のうち一方のみをプラズマ表示装置２００に出力してもよい。
【００４０】
第２の実施形態．
図３は、本発明の第２の実施形態に係るＤＶＤプレーヤ１００、リモートコントローラ９０、ＡＶアンプ３００及びプラズマ表示装置２００の構成を示すブロック図である。
【００４１】
図３において、ＨＤＭＩソース装置であるＤＶＤプレーヤ１００は、ＨＤＭＩコネクタ１０１、ＨＤＭＩケーブル４０２及びＨＤＭＩコネクタ３０１を介してＨＤＭＩ規格を採用した信号リピータ装置（以下、ＨＤＭＩリピータ装置という。）であるＡＶアンプ３００に接続され、ＡＶアンプ３００はＨＤＭＩコネクタ３０２、ＨＤＭＩケーブル４０３及びＨＤＭＩコネクタ２０１を介してＨＤＭＩシンク装置であるプラズマ表示装置２００に接続される。ここで、ＨＤＭＩケーブル４０２，４０３は、ＨＤＭＩ規格に準拠したディジタルデータ伝送バスであり、ＨＤＭＩコネクタ３０１及び３０２は、ＨＤＭＩ規格に準拠したデータ端子である。本実施形態は、図１の第１の実施形態と比較して、ＤＶＤプレーヤ１００のＣＰＵ１１は、プラズマ表示装置２００の製造者のデータに基づいて待機時間を決定し、ＤＶＤプレーヤ１００とＡＶアンプ３００との間のＨＤＣＰ認証及びＡＶアンプ３００とプラズマ表示装置２００との間のＨＤＣＰ認証処理の完了後、当該待機時間が経過した後に、コンテンツに含まれる映像信号をＡＶアンプ３００を介してプラズマ表示装置２００のディスプレイ７２に出力して表示し、コンテンツに含まれる音声信号をＡＶアンプ３００を介してスピーカ８９に出力したことを特徴とする。以下、第１の実施形態との相違点を詳述する。
【００４２】
図３において、ＡＶアンプ３００は、ＨＤＭＩチップ８０と、スピーカ８９に接続される音声信号増幅器８８と、ＨＤＭＩコネクタ３０１及び３０２とを備えて構成される。ここで、ＨＤＭＩチップ６０と、音声信号増幅器８８とはＨＤＭＩチップ８０のバス８６を介して互いに接続される。ＨＤＭＩチップ８０は、ＨＤＭＩコネクタ３０１、ＨＤＭＩケーブル４０２及びＨＤＭＩコネクタ１０１を介してＤＶＤプレーヤ１００とのインターフェースをとるためのインターフェース処理、ＨＤＭＩコネクタ３０２、ＨＤＭＩケーブル４０３及びＨＤＭＩコネクタ２０１を介してプラズマ表示装置２００とのインターフェースをとるためのインターフェース処理、ＤＶＤプレーヤ１００及びプラズマ表示装置２００との間でＨＤＣＰ認証を行うための認証処理、ＤＶＤプレーヤ１００からの映像信号をプラズマ表示装置２００に出力する映像信号中継処理、及びＤＶＤプレーヤ１００からの音声信号を音声信号増幅器８８を介してスピーカ８９に出力する音声信号出力処理を実行するチップであり、互いにバス８６を介して接続されるＣＰＵ８１と、ＲＡＭ８２と、ＥＤＩＤメモリ８４を備えたＲＯＭ８３と、インターフェース８５とを備えて構成される。ＲＯＭ８３は、ＨＤＭＩチップ８０の動作に必要であって、ＣＰＵ８１によって実行される種々のソフトウェアのプログラムを予め記憶し、プラズマ表示装置２００のＥＤＩＤメモリ６４に記憶されているＥＤＩＤ及びＡＶアンプ３００の製品情報、製造者名及び音声出力サンプリング等の音声出力仕様等のデータを予め記憶するＥＤＩＤメモリ８４を含む。また、ＲＡＭ８２は、ＳＲＡＭ又はフラッシュメモリ等で構成され、ＣＰＵ８１のワーキングエリアとして使用されてプログラムの実行時に発生する一時的なデータを記憶する。インターフェース８５は、ＤＶＤプレーヤ１００とのインターフェース処理を実行して、ＨＤＭＩ規格に準拠する信号やデータをＨＤＭＩコネクタ３０１、ＨＤＭＩケーブル４０２及びＨＤＭＩコネクタ１０１を介してＤＶＤプレーヤ１００に出力する一方、ＤＶＤプレーヤ１００からＨＤＭＩコネクタ１０１、ＨＤＭＩケーブル４０２及びＨＤＭＩコネクタ３０１を介して入力される信号を受信して、信号変換やプロトコル変換を含む所定のインターフェース処理を実行してＣＰＵ８１に出力する。さらに、インターフェース８５は、プラズマ表示装置２００とのインターフェース処理を実行して、ＨＤＭＩ規格に準拠する信号やデータをＨＤＭＩコネクタ３０２、ＨＤＭＩケーブル４０３及びＨＤＭＩコネクタ２０１を介してプラズマ表示装置２００に出力する一方、プラズマ表示装置２００からＨＤＭＩコネクタ２０１、ＨＤＭＩケーブル４０３及びＨＤＭＩコネクタ３０２を介して入力される信号を受信して、信号変換やプロトコル変換を含む所定のインターフェース処理を実行してＣＰＵ８１に出力する。また、音声信号増幅器８８は、入力される音声信号を、Ｄ／Ａ変換及び増幅してスピーカ８９に出力する。
【００４３】
図３において、待機時間メモリ１４は、プラズマ表示装置２００の製造者のデータと、ＨＤＭＩチップ２０とＨＤＭＩチップ８０との間でのＨＤＣＰ認証及びＨＤＭＩチップ８０とＨＤＭＩチップ６０との間でのＨＤＣＰ認証の完了後の待機時間との関係を示す待機時間テーブルを待機時間メモリ１４に予め記憶する。ここで、待機時間は、プラズマ表示装置２００においてコンテンツを受信する前に実行する映像出力仕様の設定等の初期起動設定処理に要する時間に比較して長い時間値であり、プラズマ表示装置２００の製造者に応じて０．５秒〜１．０秒の値を有する。
【００４４】
図４は、図３のコントローラ１０によって実行されるコンテンツ送信処理を示すフローチャートである。
【００４５】
図４のコンテンツ送信処理において、まずステップＳ１２においてＡＶアンプ３００のＲＯＭ８３のＥＤＩＤメモリ８４からＥＤＩＤを読み出してＣＰＵ１１に出力するようにＨＤＭＩチップ２０を制御する。これに応答してＨＤＭＩチップ２０は、ＥＤＩＤメモリ８４に記憶されているＥＤＩＤを読み出してＣＰＵ１１に出力する。そして、ステップＳ１３において、入力されたＥＤＩＤのデータから、プラズマ表示装置２００の映像出力仕様及びＡＶアンプ３００の音声出力仕様を読み出す。次いで、ステップＳ１４において、再生するコンテンツのヘッダ情報を読み出して、ヘッダ情報からコンテンツに含まれる映像信号の仕様及び音声信号の仕様を読み出すようにデコーダ３０を制御する。これに応答して、デコーダ３０は、再生するコンテンツに含まれる映像信号の仕様及び音声信号の仕様のデータをＣＰＵ１１に出力する。ここで、コンテンツのヘッダ情報は、当該コンテンツに含まれる映像信号の映像符号化方式（例えば、ＲＧＢ、ＹＣＢＣＲ４：４：４又はＹＣＢＣＲ４：２：２）、解像度、フィールド周波数、走査線数等及び音声信号の音声出力サンプリング等のデータを含む。さらに、ステップＳ１５において、ステップＳ１３で読み出したプラズマ表示装置２００の映像出力仕様及びＡＶアンプ３００の音声出力仕様及びステップＳ１４で読み出したコンテンツに含まれる映像信号の仕様及び音声信号の仕様に基づいて、プラズマ表示装置２００に出力する映像信号の仕様及びＡＶアンプ３００に出力する音声信号の仕様を決定する。例えば、コンテンツに含まれる映像信号の仕様が「１９２０×１０８０ｉ」であり、プラズマ表示装置２００に接続の映像出力仕様が「１２８０×７２０ｐ」である場合、プラズマ表示装置２００に出力する映像信号の仕様を「１２８０×７２０ｐ」と決定する。また、例えば、コンテンツに含まれる音声信号の音声出力サンプリングが４８ｋＨｚであり、ＡＶアンプ３００に出力する音声信号の音声出力サンプリングが４４．１ｋＨｚである場合、ＡＶアンプ３００に出力する音声信号の音声出力サンプリングを４４．１ｋＨｚと決定する。次に、ステップＳ１６において、ステップＳ１５で決定された映像信号の仕様及び音声信号の仕様を有する無画像無音信号を発生してＡＶアンプ３００及びプラズマ表示装置２００に出力するようにデコーダ３０を制御する。これに応答してデコーダ３０は、無画像無音信号を発生してＨＤＭＩチップ２０、ＨＤＭＩコネクタ１０１、ＨＤＭＩケーブル４０２及びＨＤＭＩコネクタ３０１を介してＡＶアンプ３００のＣＰＵ８１に出力する。ＣＰＵ８１は、入力される無画像無音信号に含まれる無音信号を音声信号増幅器８８を介してスピーカ８９に出力するとともに、入力される無画像無音信号に含まれる黒画像信号をＨＤＭＩコネクタ３０２、ＨＤＭＩケーブル４０３及びＨＤＭＩコネクタ２０１を介してプラズマ表示装置２００のＣＰＵ６１に出力する。ＣＰＵ６１は、入力される黒画像信号を映像信号処理回路７１を介してディスプレイ７２に出力して表示する。
【００４６】
次に、ステップＳ１７において、ＨＤＣＰの第１認証をＡＶアンプ３００のＨＤＭＩチップ８０に対して行うようにＨＤＭＩチップ２０を制御する。これに応答してＨＤＭＩチップ２０のＣＰＵ２１は、ＨＤＭＩチップ８０との間でＨＤＣＰの第１認証処理を実行する。さらに、ＨＤＭＩチップ８０のＣＰＵ８１は、ＨＤＭＩチップ２０との間でのＨＤＣＰの第１認証が完了すると、ＨＤＭＩチップ６０との間でＨＤＣＰの第１認証を行い、第１認証完了信号を発生してＣＰＵ２１に出力する。さらに、ＣＰＵ２１は、ＣＰＵ８１からの第１認証完了信号に応答して、ＨＤＭＩチップ２０とＨＤＭＩチップ８０との間のＨＤＣＰの第１認証の完了及びＨＤＭＩチップ８０とＨＤＭＩチップ６０との間のＨＤＣＰの第１認証の完了を示す第１認証完了信号を発生してＣＰＵ１１に出力する。そして、ステップＳ１８において、ＣＰＵ１１は、ＨＤＭＩチップ８０から上記第１認証完了信号を受信したか否かを判断し、ＹＥＳのときはステップＳ１９に進む一方、ＮＯの場合はステップＳ１８に戻る。
【００４７】
ここで、ＨＤＭＩチップ２０は、図示しないＨＤＣＰ認証レジスタを有し、ＨＤＭＩチップ８０との間でのＨＤＣＰの第１認証時に、当該ＨＤＣＰ認証レジスタの所定のビットにＡＶアンプ３００がＨＤＭＩリピータ装置か否かを示すレジスタ値が書き込まれる。ステップＳ１９においてＣＰＵ１１は、ＨＤＭＩチップ２０のＨＤＣＰ認証レジスタの所定のビットのレジスタ値を読み出すことにより、ＡＶアンプ３００がＨＤＭＩリピータ装置である否かを判断し、ＹＥＳのときはステップＳ２０に進む一方、ＮＯのときはステップＳ２２に進む。
【００４８】
次いで、ステップＳ２０において、ＨＤＣＰの第２認証をＡＶアンプ３００のＨＤＭＩチップ８０に対して行うようにＨＤＭＩチップ２０を制御する。これに応答してＨＤＭＩチップ２０は、ＨＤＭＩチップ８０との間でＨＤＣＰの第２認証を行い、当該認証が完了すると、ＨＤＣＰの第２認証の完了を示す第２認証完了信号を発生してＣＰＵ１１に出力する。そして、ステップＳ２１において、ＣＰＵ１１は、ＨＤＭＩチップ２０から上記第２認証完了信号を受信したか否かを判断し、ＹＥＳのときはステップＳ２２に進む一方、ＮＯの場合はステップＳ２１に戻る。
【００４９】
次に、ステップＳ２２において、ステップＳ１３で入力されたＥＤＩＤに含まれるプラズマ表示装置２００の製造者のデータに基づいて、待機時間メモリ４に記憶されている待機時間テーブルを参照して待機時間を決定し、待機開始及び当該待機時間を示す制御信号を発生してタイマ回路１５に出力することにより待機を開始する。ＣＰＵ１１からの制御信号に応答して、タイマ回路１５は計時を開始する。次に、ステップＳ２３において、タイマ回路１５からの待機終了信号を受信したか否かによって待機時間が経過したか否かを判断し、ＹＥＳのときはステップＳ２４に進む一方、ＮＯのときはステップＳ２３に戻る。
【００５０】
ステップＳ２４において待機を終了し、無画像無音信号の発生及び出力を停止するようにデコーダ３０を制御する。これに応答してデコーダ３０は、無画像無音信号の発生及び出力を停止する。次にステップＳ２５において、コンテンツを再生してステップＳ１５で決定した映像信号の仕様及び音声信号の仕様を有する映像信号及び音声信号を発生して、プラズマ表示装置２００に出力するようにデコーダ３０を制御してコンテンツ送信処理を終了する。これに応答してデコーダ３０は、コンテンツを再生して映像信号及び音声信号を発生してＨＤＭＩチップ２０、ＨＤＭＩコネクタ１０１、ＨＤＭＩケーブル４０２及びＨＤＭＩコネクタ３０１を介してＡＶアンプ３００のＣＰＵ８１に出力する。ＣＰＵ８１は、入力される音声信号を音声信号増幅器８８を介してスピーカ８９に出力するとともに、入力される映像信号をＨＤＭＩコネクタ３０２、ＨＤＭＩケーブル４０３及びＨＤＭＩコネクタ２０１を介してプラズマ表示装置２００のＣＰＵ６１に出力する。ＣＰＵ６１は、入力される映像信号を映像信号処理回路７１を介してディスプレイ７２に出力して表示する。
【００５１】
ここで、図４のステップＳ１２〜Ｓ１６の処理に要する時間は約１秒であり、ステップＳ１８におけるＨＤＭＩチップ２０とＨＤＭＩチップ８０との間及びＨＤＭＩチップ８０とＨＤＭＩチップ６０との間でのＨＤＣＰの第１認証処理に要する時間は合計約６秒であり、ステップＳ２０におけるＨＤＣＰの第２認証に要する時間は約０．１秒であり、ステップＳ２３における待機時間は０．５〜１．０秒である。従って、コンテンツ再生処理の開始から、プラズマ表示装置２００及びＡＶアンプ３００においてコンテンツに含まれる映像信号及び音声信号が出力されるまでに要する時間は、７．６〜８．６秒程度である。上記のように構成されたＤＶＤプレーヤ１００によれば、ＣＰＵ１１は、ＨＤＭＩチップ２０とＨＤＭＩチップ８０との間のＨＤＣＰ認証及び、ＨＤＭＩチップ８０とＨＤＭＩチップ６０との間のＨＤＣＰ認証の完了後、プラズマ表示装置２００のＥＤＩＤメモリ６４に予め記憶されているＥＤＩＤのデータに基づいて待機時間を決定し、当該待機時間が経過した後にコンテンツをプラズマ表示装置２００に送信するので、コンテンツに含まれる映像信号を先頭部分から、従来技術に比較して確実にプラズマ表示装置２００においてディスプレイ７２及びスピーカ７４に出力できるとともに、コンテンツに含まれる音声信号を先頭部分から、従来技術に比較して確実にＡＶアンプ３００に接続されたスピーカ８９に出力できる。また、ＣＰＵ１１は、待機中は、デコーダ３０を無画像無音信号を発生してＡＶアンプ３００及びプラズマ表示装置２００に出力するように制御するので、ＡＶアンプ３００に接続されたスピーカ８９において音飛びが発生せず、プラズマ表示装置２００のディスプレイ７２において映像の乱れが発生しない。
【００５２】
上記の実施形態において、ＣＰＵ１１はＥＤＩＤメモリ８４に記憶されたＥＤＩＤのデータに基づいて待機時間を決定したが、本発明はこれに限らず、ＥＤＩＤメモリ６４に記憶されたＥＤＩＤをＡＶアンプ３００を介して読み出し、当該ＥＤＩＤのデータに基づいて待機時間を決定してもよい。
【００５３】
上記の実施形態において、ＤＶＤプレーヤ１００は、映像信号をプラズマ表示装置２００のディスプレイ７２に出力して表示するとともに、音声信号をＡＶアンプ３００を介してスピーカ８９に出力したが、本発明はこれに限らず、第１の実施形態と同様に、音声信号をプラズマ表示装置２００のスピーカ７４に出力してもよく、映像信号及び音声信号のうち少なくとも一方をプラズマ表示装置２００に出力してもよい。
【００５４】
上記の第１の実施形態において、ＨＤＭＩソース装置であるＤＶＤプレーヤ１００は、ＨＤＭＩケーブル４０１を介してＨＤＭＩシンク装置であるプラズマ表示装置２００に映像信号及び音声信号を出力し、上記の第２の実施形態において、ＤＶＤプレーヤ１００は、ＨＤＭＩケーブル４０２を介してＨＤＭＩリピータ装置であるＡＶアンプ３００に音声信号を出力するとともにＨＤＭＩケーブル４０２、ＡＶアンプ３００及びＨＤＭＩケーブル４０３を介してプラズマ表示装置２００に映像信号及び音声信号を出力したが、本発明はこれに限らず、ディジタルテレビジョン信号受信装置、ディジタルスチルカメラ、ディジタルビデオカメラ等の信号ソース装置や、液晶表示装置、プロジェクタ等の信号シンク装置や、その他の信号リピータ装置であってもよい。
【００５５】
また、上記各実施形態において、無画像無音信号は黒画像信号を含んだが、本発明はこれに限らず、黒以外の色の画像信号であってもよい。
【産業上の利用可能性】
【００５６】
以上詳述したように、本発明に係る信号ソース装置及びその制御方法によれば、信号ソース装置は、信号シンク装置との間で機器認証を完了した後に、映像信号及び音声信号のうちの少なくとも一方を信号シンク装置に出力するので、映像信号及び音声信号のうちの少なくとも一方を、その先頭部分から従来技術に比較して確実に信号シンク装置に出力できる。また、本発明に係るコンピュータにより実行可能なプログラムよれば、上記信号ソース装置の制御方法における各ステップを含むプログラムを提供できる。
【図面の簡単な説明】
【００５７】
【図１】本発明の第１の実施形態に係るＤＶＤプレーヤ１００、リモートコントローラ９０及びプラズマ表示装置２００の構成を示すブロック図である。
【図２】図１のコントローラ１０によって実行されるコンテンツ送信処理を示すフローチャートである。
【図３】本発明の第２の実施形態に係るＤＶＤプレーヤ１００、リモートコントローラ９０、ＡＶアンプ３００及びプラズマ表示装置２００の構成を示すブロック図である。
【図４】図３のコントローラ１０によって実行されるコンテンツ送信処理を示すフローチャートである。
【符号の説明】
【００５８】
１０…コントローラ、
１１，２１，６１，８１…ＣＰＵ、
１２，２２，６２，８２…ＲＡＭ、
１３，２３，６３，８３…ＲＯＭ、
１４…待機時間メモリ、
１５…タイマ回路、
１６，２５，６６，８６…バス、
２０，６０，８０…ＨＤＭＩチップ、
２４，６５，８５…インターフェース、
３０…デコーダ、
３１…無画像無音信号発生回路、
４０…ＤＶＤドライブ、
５０…ＤＶＤ、
５１…リモコン信号受光回路、
６４，８４…ＥＤＩＤメモリ、
７１…映像信号処理回路、
７２…ディスプレイ、
７３…音声信号処理回路、
７４，８９…スピーカ、
８８…音声信号増幅器、
９０…リモートコントローラ、
９１…リモコン信号送信回路、
１００…ＤＶＤプレーヤ、
１０１，２０１，３０１，３０２…ＨＤＭＩコネクタ、
２００…プラズマ表示装置、
３００…ＡＶアンプ、
４０１，４０２，４０３…ＨＤＭＩケーブル。
【手続補正３】
【補正対象書類名】図面
【補正対象項目名】全図
【補正方法】変更
【補正の内容】
【図１】
2007023939.tif 000007
【図２】
2007023939.tif 000008
【図３】
2007023939.tif 000009
【図４】
2007023939.tif 000010
【国際調査報告】
2007023939.tif 000011
2007023939.tif 000012
2007023939.tif 000013
2007023939.tif 000014